(57)【特許請求の範囲】
【請求項１】
第１制御回路及び第１通信用ＬＳＩを有する第１制御基板と、第２制御回路及び第２通信用ＬＳＩを有する第２制御基板を備え、通信用ＬＳＩを介して前記第１制御基板と前記第２制御基板との間で処理データを通信する通信システムであって、
前記第１通信用ＬＳＩは、
前記第１制御回路から出力された処理データを受信する第１受信部と、
前記第１受信部で受信した処理データの暗号化を行う暗号部と、
前記暗号部で暗号化された処理データを送信する第１送信部とを有し、
前記第２通信用ＬＳＩは、
前記第１送信部から送信された暗号化された処理データを受信する第２受信部と、
前記第２受信部で受信した暗号化された処理データを復号化する復号部と、
前記復号部で復号化された処理データを前記第２制御回路に送信する第２送信部とを有し、
前記第１制御回路から出力された処理データが、前記第２制御回路に処理データを送信するタイミングの情報を含んでおり、
前記第１通信用ＬＳＩ及び前記第２通信用ＬＳＩの少なくとも一方において、前記情報に基づいて、前記第２制御回路に処理データを送信するタイミングが制御されることを特徴とする通信システム。
【請求項２】
前記第２制御回路を複数備え、
前記第２送信部は、前記複数の第２制御回路に処理データをそれぞれ送信することを特徴とする請求項１に記載の通信システム。
【請求項３】
前記第２通信用ＬＳＩを複数備え、
前記複数の第２通信用ＬＳＩは、前記複数の第２制御回路に処理データをそれぞれ送信することを特徴とする請求項２に記載の通信システム。
【請求項４】
前記１乃至３の何れか１項に記載の通信システムと、
ランプ、表示装置、及びスピーカのうち少なくとも１つを備えた演出部と、
可動役物と、
遊技を実行する主基板と、
前記主基板から送信される処理データに基づいて、前記演出部を用いた演出処理を行うサブ基板と、
前記可動役物の動作を制御するデバイス基板と、
を備え、
前記サブ基板は、前記第１制御基板であり、
前記デバイス基板は、前記第２制御基板である、
ことを特徴とする遊技機。
【発明の詳細な説明】
【技術分野】
【０００１】
本発明は、データを送受信する通信システム及び遊技機に関する。
【背景技術】
【０００２】
例えば、特許文献１には、通信データを演算処理するために設けられた算術論理演算器および積和演算器と、算術論理演算器および積和演算器の動作を制御するための制御コードを供給するプロセッサと、プロセッサによって供給された制御コードに基づいて算術論理演算器および積和演算器を制御する演算制御器とを具備した通信用ＬＳＩが開示されている。従来、このように構成された通信用ＬＳＩは、送信側基板及び受信側基板のそれぞれに設けられており、基板の各々に設けられた制御部によりデータの送信及び受信が制御されている。
【先行技術文献】
【特許文献】
【０００３】
【特許文献１】特開２００４−２２７２６４号
【発明の概要】
【発明が解決しようとする課題】
【０００４】
ところで、各基板間をデータが送受信される際に、データの傍受や改竄等の不正行為が行われる場合がある。例えば、パチスロ装置やパチンコ装置等の遊技機においては、遊技結果に関する制御を行う主制御部からサブ制御部へ遊技結果データが送信される途中で、この遊技結果データが外部からの操作により異なるデータに置き換えられるという不正行為が行われる場合がある。従って、このような不正行為を防ぐための措置を採る必要性が高まっている。
【０００５】
そこで、従来においては、上記の不正行為を防ぐために、所定の通信経路における制御コマンドデータの通信状態を監視するための状態監視コマンドを送信し、サブ制御部が状態監視コマンドを用いて制御コマンドデータの正当性を検証し、誤りがあると判断した場合には制御対象の制御を停止するように、制御部に処理させることが提案されている。しかしながら、この場合には、各基板における制御部は、通信用ＬＳＩの制御に加えて各種の処理及び制御を行っているため、大きな負担により制御速度が遅くなる等の不具合が生じる場合がある。特に、近年においては、通信技術の発達に伴って通信のデータ量が激増しているため、通信制御の遅延を招く可能性が大きい。従って、各基板の制御部の負担を増大させることなく不正行為の防止を図ることができる通信システムの提供が望まれている。
【０００６】
本発明は、各基板の制御部の負担を増大させることなく不正行為の防止を図ることができる通信システム及び遊技機を提供することを目的とする。
【課題を解決するための手段】
【０００７】
本発明の通信システムは、第１制御回路及び第１通信用ＬＳＩを有する第１制御基板と、第２制御回路及び第２通信用ＬＳＩを有する第２制御基板を備え、通信用ＬＳＩを介して前記第１制御基板と前記第２制御基板との間で処理データを通信する通信システムであって、前記第１通信用ＬＳＩは、前記第１制御回路から出力された処理データを受信する第１受信部と、前記第１受信部で受信した処理データの暗号化を行う暗号部と、前記暗号部で暗号化された処理データを送信する第１送信部とを有し、前記第２通信用ＬＳＩは、前記第１送信部から送信された暗号化された処理データを受信する第２受信部と、前記第２受信部で受信した暗号化された処理データを復号化する復号部と、前記復号部で復号化された処理データを前記第２制御回路に送信する第２送信部とを有し、前記第１制御回路から出力された処理データが、前記第２制御回路に処理データを送信するタイミングの情報を含んでおり、前記第１通信用ＬＳＩ及び前記第２通信用ＬＳＩの少なくとも一方において、前記情報に基づいて、前記第２制御回路に処理データを送信するタイミングが制御されることを特徴とする。
【０００８】
上記の構成によれば、第１制御基板においては、第１通信用ＬＳＩが処理データを暗号化するため、第１通信用ＬＳＩに処理データを出力する第１制御回路における暗号化処理が不要になる。また、第２制御基板においては、第２通信用ＬＳＩが処理データを復号化するため、処理データに基づいて制御処理を実行する第２制御回路における処理データの復号化処理が不要になる。これにより、第１制御回路において暗号化に伴う処理負担を増大させることがないと共に、第２制御回路において復号化に伴う処理負担を増大させることがない。さらに、処理データが暗号化された状態で送信されることによって、送信途中における秘匿が確保されるため、送信途中の処理データを盗み取って内容を読み取ることによる不正行為を防止することができる。この結果、本発明の通信システムは、第１通信用ＬＳＩ及び第２通信用ＬＳＩを備えることによって、第１制御回路及び第２制御回路の負担を増大させることなく不正行為の防止を図ることができる。
【０００９】
また、第１制御回路から出力された処理データが第２制御回路に処理データを送信するタイミングの情報を含んでおり、第１制御回路と第２制御回路との間に、第１通信用ＬＳＩ及び第２通信用ＬＳＩを備えることによって、第１通信用ＬＳＩ及び第２通信用ＬＳＩの少なくとも一方によって、その情報に基づいて、第２制御回路に処理データを送信するタイミングを制御できる。したがって、第１制御回路において、第２制御回路に処理データを送信する出力タイミングを制御する必要がないので、第１制御回路の処理負担が軽減する。したがって、第１制御回路において第２制御回路に処理データを送信するタイミングを制御する場合、第１制御回路の負担増により複雑な制御などが制約されるが、本発明の通信システムでは、第１制御回路の処理負担が軽減するので、複雑な制御などを第２制御回路に行わせることができる。
【００１０】
本発明の通信システムにおいて、前記第２制御回路を複数備え、前記第２送信部は、前記複数の第２制御回路に処理データをそれぞれ送信することを特徴とする。
【００１１】
上記構成によれば、複数の第２制御回路を備えるので、第１制御回路から出力された処理データを複数の第２制御回路に送信する必要がある。したがって、第１制御回路において複数の第２制御回路に処理データを送信するタイミングを制御する場合、第１制御回路の処理負担が大きいが、本発明の通信システムでは、第１制御回路の処理負担が軽減するので、第１制御回路から出力された処理データを複数の第２制御回路に送信する場合であっても、複雑な制御などを第２制御回路に行わせることができる。
【００１２】
本発明の通信システムは、前記第２通信用ＬＳＩを複数備え、前記複数の第２通信用ＬＳＩは、前記複数の第２制御回路に処理データをそれぞれ送信することを特徴とする。
【００１３】
上記構成によれば、複数の第２通信用ＬＳＩを備えるので、１つの第２通信用ＬＳＩが処理データを送信する第２制御回路を少なくできる。したがって、本発明の通信システムでは、第２通信用ＬＳＩのそれぞれの処理負担が軽減するので、第２制御回路が多い場合であっても、複雑な制御などを第２制御回路に行わせることができる。
【００１４】
本発明の遊技機は、前記の何れかの通信システムと、ランプ、表示装置、及びスピーカのうち少なくとも１つを備えた演出部と、可動役物と、遊技を実行する主基板と、主基板から送信される処理データに基づいて、演出部を用いた演出処理を行うサブ基板と、可動役物の動作を制御するデバイス基板と、を備え、サブ基板は、第１制御基板であり、デバイス基板は、第２制御基板である、ことを特徴とする。
【００１５】
上記構成によれば、遊技機において通信用ＬＳＩを有する制御基板間で通信される処理データが、暗号化されて通信用ＬＳＩから送信されるため、第１制御基板から第２制御基板に送信する処理データは通信用ＬＳＩ間で秘匿されたものとなり、送信途中の処理データを盗み取って内容を読み取ることによる不正行為を防止することができる。
また、遊技機では、第１制御回路の処理負担が軽減するので、複雑な制御などを第２制御回路に行わせることができる。
【発明の効果】
【００１６】
本発明は、各基板の制御部の負担を増大させることなく不正行為の防止を図ることができる。
【図面の簡単な説明】
【００１７】
【図１】構成２の通信システムのブロック図である。
【図２】通信用ＬＳＩのブロック図である。
【図３】構成１の通信システムのブロック図である。
【図４】構成１の通信システムのブロック図である。
【図５】構成１の通信システムにおける処理データの状態を示す説明図である。
【図６】構成２の通信システムのブロック図である。
【図７】構成２の通信システムにおける処理データの状態を示す説明図である。
【図８】遊技機の斜視図である。
【図９】開放状態の遊技機の斜視図である。
【図１０】遊技機の電気ブロック図である。
【図１１】遊技機の電気ブロック図である。
【図１２】図柄配置テーブルの説明図である。
【図１３】無線通信によるデータ転送の構成を示す説明図である。
【図１４】メインＣＰＵの制御によるフローチャートである。
【図１５】メインＣＰＵの制御による割込処理ルーチンのフローチャートである。
【図１６】サブＣＰＵにより行われる主基板通信タスクのフローチャートである。
【図１７】サブＣＰＵにより行われる演出登録タスクのフローチャートである。
【図１８】ホスト側データ送信処理ルーチンのフローチャートである。
【図１９】ＵＡＲＴ処理ルーチンのフローチャートである。
【図２０】ＵＡＲＴマスタ動作処理ルーチンのフローチャートである。
【図２１】ＳＰＩ処理ルーチンのフローチャートである。
【図２２】ＳＰＩマスタ動作処理ルーチンのフローチャートである。
【図２３】暗号・復号処理ルーチンのフローチャートである。
【図２４】ＤＭＡＣ処理ルーチンのフローチャートである。
【図２５】Ｉ２Ｃ処理ルーチンのフローチャートである。
【図２６】サブ基板側通信用ＬＳＩ送信処理ルーチンのフローチャートである。
【図２７】Ｉ２Ｃデバイス側通信用ＬＳＩ受信処理ルーチンのフローチャートである。
【発明を実施するための形態】
【００１８】
以下、本発明の実施形態について説明する。
【００１９】
（通信システム：概要）
本発明の実施形態に係る通信システムは、制御基板間において処理データを通信するものであり、制御基板の一方は、この制御基板のＣＰＵに成り代わって、制御基板の処理データを暗号化して外部に送信する機能を有する通信用ＬＳＩを備え、制御基板の他方は、この制御基板のＣＰＵに成り代わって、暗号化された処理データを復号化して外部に送信する機能を有する通信用ＬＳＩを備えている。即ち、通信システムは、図１、図２に示すように、第１制御回路（制御回路７２）及び第１通信用ＬＳＩ（通信用ＬＳＩＴ４３）を有する第１制御基板（制御基板１２・サブ基板１２）と、第２制御回路（制御回路７７）及び第２通信用ＬＳＩ（通信用ＬＳＩＴ４４・Ｔ４５）を有する第２制御基板（制御基板１３・デバイス基板１３）を備え、通信用ＬＳＩ（通信用ＬＳＩＴ４３及びＴ４４・Ｔ４５）を介して第１制御基板（制御基板１２・サブ基板１２）と第２制御基板（制御基板１３・デバイス基板１３）との間で、処理データを通信するものである。
【００２０】
制御基板１２の通信用ＬＳＩＴ４３は、制御回路７２から出力された処理データを受信する第１受信部Ｔ２を有している。また、通信用ＬＳＩＴ４３は、第１受信部Ｔ２で受信した処理データの暗号化を行う暗号部Ｔ３を有している。さらに、通信用ＬＳＩＴ４３は、暗号部Ｔ３で暗号化された処理データを送信する第１送信部Ｔ４を有している。
【００２１】
制御基板１３の通信用ＬＳＩＴ４４・Ｔ４５は、制御基板１２の通信用ＬＳＩＴ４３から暗号化された処理データを受信する第２の受信部Ｔ２を有している。また、通信用ＬＳＩＴ４４・Ｔ４５は、第２の受信部Ｔ２で受信した暗号化された処理データを復号化する復号部Ｔ５を有している。また、通信用ＬＳＩＴ４４・Ｔ４５は、復号部Ｔ５で復号化された処理データを制御基板１３の制御回路７７へ送信する第２の送信部Ｔ４を有している。
【００２２】
そして、制御回路７２から出力された処理データが、制御回路７７に処理データを送信するタイミングの情報を含んでおり、通信用ＬＳＩＴ４３及びＴ４４・Ｔ４５の少なくとも一方において、その情報に基づいて、制御回路７７に処理データを送信するタイミングが制御される。
【００２３】
上記の制御基板１２・１３の受信部Ｔ２は、処理データをパラレルで受信してもよいし、シリアルで受信してもよい。受信部Ｔ２が処理データをパラレルで受信する場合は、ＣＰＵのデータバスに直結することができることから、送信の遅延を最小限に抑制することができる。また、受信部Ｔ２が処理データをシリアルで受信する場合は、通信用ＬＳＩＴ１を制御基板に搭載することに起因する信号線の増大を防止することができる。
【００２４】
受信部Ｔ２としては、ＵＡＲＴ通信機能を備えたＵＡＲＴ部Ｔ１１と、ＳＰＩ通信機能を備えたＳＰＩ１部Ｔ１２及びＳＰＩ２部Ｔ１３と、Ｉ２Ｃ通信機能を備えたＩ２Ｃ部Ｔ１６とが該当する。即ち、通信用ＬＳＩＴ１は、４個の受信部Ｔ２を備えており、これらの受信部Ｔ２により３種類の通信形態で処理データを受信可能にされている。これにより、通信用ＬＳＩＴ１は、複数の通信形態で処理データを受信することができるため、各種の制御装置や通信環境にとって最適な通信形態を選択できることから汎用性の高いものになっている。
【００２５】
尚、通信用ＬＳＩＴ１は、ＵＡＲＴ通信機能やＳＰＩ通信機能、Ｉ２Ｃ通信機能以外の通信規格による通信機能の有した受信部Ｔ２を備えていてもよい。即ち、通信用ＬＳＩＴ１は、１種類以上の通信機能の受信部Ｔ２を１以上備えていればよい。また、『処理データ』は、制御回路７７（Ｉ２Ｃデバイス）に処理データを送信するタイミングの情報を含んでいる。また、『処理データ』は、出力先である制御回路７７（Ｉ２Ｃデバイス）の情報を含んでいてもよいし、出力先の動作内容を指令する指令情報を含んでいてもよいし、出力先の表示等の情報処理に用いられる画像や文字の情報を含んでいてもよい。即ち、処理データは、どのようなデータであってもよい。
【００２６】
制御基板１２・１３の送信部Ｔ４は、処理データをパラレルで送信してもよいし、シリアルで送信してもよい。送信部Ｔ４が処理データをパラレルで送信する場合は、シリアルで送信する場合よりも送信時間を短縮することができる。また、送信部Ｔ４が処理データをシリアルで送信する場合は、通信用の信号線の数量をパラレルの場合よりも少なくすることができるため、信号ケーブルの外径の増大を抑制することができる。
【００２７】
送信部Ｔ４としては、ＵＡＲＴ部Ｔ１１とＳＰＩ１部Ｔ１２及びＳＰＩ２部Ｔ１３とＩ２Ｃ部Ｔ１６とが該当する。即ち、通信用ＬＳＩＴ１は、４個の送信部Ｔ４を備えており、これらの送信部Ｔ４により３種類の通信形態で処理データを送信可能にされている。これにより、通信用ＬＳＩＴ１は、複数の通信形態で処理データを送信することができるため、各種の制御装置や通信環境にとって最適な通信形態を選択できることから汎用性の高いものになっている。
【００２８】
尚、通信用ＬＳＩＴ１は、ＵＡＲＴ通信機能やＳＰＩ通信機能、Ｉ２Ｃ通信機能以外の通信規格による通信機能を有した送信部Ｔ４を備えていてもよい。即ち、通信用ＬＳＩＴ１は、１種類以上の通信機能の送信部Ｔ４を１以上備えていればよい。また、本実施形態における通信用ＬＳＩＴ１は、ＵＡＲＴ部Ｔ１１とＳＰＩ１部Ｔ１２及びＳＰＩ２部Ｔ１３とＩ２Ｃ部Ｔ１６とが送受信機能を有することによって、受信部Ｔ２及び送信部Ｔ４の両方を備えた構成にされているが、これに限定されるものでもない。即ち、通信用ＬＳＩＴ１は、受信専用の受信部Ｔ２や送信専用の送信部Ｔ４を備えていてもよい。
【００２９】
制御基板１２・１３の暗号部Ｔ３は、第三者が特別な知識無しでは読めないように変換する変換アルゴリズムで処理データを情報処理する暗号化機能を備えている。暗号化機能は、ステガノグラフィ方式やコード方式、サイファ方式による暗号化を採用することができる。ステガノグラフィ方式は、画像データ等に処理データを埋め込む電子透かし等の通信文を人目に付かない場所に記録する方法である。コード方式は、通信文の単語やフレーズを、事前に決めておいた言葉・記号で置き換える方法である。サイファ方式は、通信文を意味とは関係なく、所定のアルゴリズムに従って、１以上の文字やビットごとに置換や転置を行うことで、読めない文に変換する方法である。尚、サイファ方式としては、暗号化・復号化で同じ鍵を使う共通鍵暗号方式や暗号化・復号化で異なる鍵を使う公開鍵暗号方式等がある。
【００３０】
さらに、本実施形態に係る通信用ＬＳＩＴ１は、制御基板のＣＰＵに成り代わって、受信した処理データを復号化する復号化機能を暗号機能に加えて有している。即ち、通信用ＬＳＩＴ１は、処理データを受信する受信部Ｔ２と、受信部Ｔ２で受信した処理データが平文である場合、この処理データを暗号化する暗号部Ｔ３と、受信部Ｔ２で受信した処理データが暗号文である場合、この処理データを復号化する復号部Ｔ５と、暗号部Ｔ３で暗号化された処理データ及び復号部Ｔ５で復号化された処理データを送信する送信部Ｔ４とを有している。ここで、復号部Ｔ５は、暗号化・復号化で同じ鍵を使う共通鍵暗号方式による共通鍵により復号化してもよいし、公開鍵暗号方式による秘密鍵により復号化してもよい。
【００３１】
本実施形態における通信用ＬＳＩＴ１は、ＡＥＳ（Ａｄｖａｎｃｅｄ  Ｅｎｃｒｙｐｔｉｏｎ  Ｓｔａｎｄａｒｄ）機能を備えたＡＥＳ部Ｔ２１が暗号部Ｔ３及び復号部Ｔ５に該当する。これにより、通信用ＬＳＩＴ１は、一つのＡＥＳ部Ｔ２１により暗号化及び復号化することが可能にされている。尚、通信用ＬＳＩＴ１は、暗号部Ｔ３と復号部Ｔ５とをそれぞれ独立して備えていてもよい。また、通信用ＬＳＩＴ１は、複数種類の暗号方式により暗号化及び復号化するように構成されていてもよい。
【００３２】
尚、暗号部Ｔ３は、共通鍵ブロック暗号方式により暗号化することが好ましい。この場合は、暗号化において論理圧縮が可能であるため、実装が容易であると共に、データパスを容易に所定のビット単位で分割可能であるため、小型実装から高速処理まで柔軟に対応した通信用ＬＳＩＴ１とすることができる。また、暗号部Ｔ３は、共通鍵ブロック暗号方式としてＡＥＳの暗号アルゴリズムを有することが好ましい。尚、通信用ＬＳＩＴ１は、ＡＥＳ部Ｔ２１が共通鍵ブロック暗号方式のＡＥＳ機能を有している。これにより、通信用ＬＳＩＴ１は、暗号の強度が高いと共に、全ての内部処理をバイト単位で実行するため、暗号化処理時における演算効率が高いことから暗号化及び復号化の処理に要する時間を短時間化することができる。
【００３３】
また、本実施形態の通信システムにおいては、制御基板１３が、複数の制御回路７７を備えるとともに、複数の通信用ＬＳＩＴ４４・Ｔ４５を備える。そして、制御回路７２から出力された処理データが、制御回路７７に処理データを送信するタイミングの情報と、いずれの制御回路７７に処理データを送信するかの情報（出力先である制御回路７７の情報）を含んでおり、通信用ＬＳＩＴ４４・Ｔ４５において、その情報に基づいて、制御回路７７に処理データを送信するタイミングが制御される。
【００３４】
また、本実施形態では、制御回路７７を複数備え、制御基板１３の通信用ＬＳＩＴ４４・Ｔ４５の第２送信部Ｔ２は、複数の制御回路７７に処理データをそれぞれ送信するが、制御回路７７を１つだけ備えるものでもよい。また、制御回路７７を複数備える場合において、制御基板１３の通信用ＬＳＩを１つだけ備え、その通信用ＬＳＩが、複数の制御回路７７に処理データをそれぞれ送信してもよい。また、制御回路７７を複数備える場合において、制御基板１３が、複数の制御回路７７と同一数の通信用ＬＳＩを備え、その複数の通信用ＬＳＩが、それぞれ１つの制御回路７７に処理データをそれぞれ送信してもよい。
【００３５】
また、本実施形態では、制御基板１３が、複数の通信用ＬＳＩＴ４４・Ｔ４５と複数の制御回路７７を備えるが、制御基板１３が、１つの通信用ＬＳＩと１または複数の制御回路７７を備えてもよい。また、本実施形態では、通信用ＬＳＩＴ４４・Ｔ４５において、制御回路７７に処理データを送信するタイミングが制御されるが、通信用ＬＳＩＴ４３において、制御回路７７に処理データを送信するタイミングが制御されてもよいし、通信用ＬＳＩＴ４３及びＴ４４・Ｔ４５において、制御回路７７に処理データを送信するタイミングが制御されてもよい。
【００３６】
上記の構成によれば、制御基板１２においては、通信用ＬＳＩＴ４３が処理データを暗号化するため、通信用ＬＳＩＴ４３に処理データを出力する制御回路７２における暗号化処理が不要になる。また、制御基板１３においては、通信用ＬＳＩＴ４４・Ｔ４５が処理データを復号化するため、処理データに基づいて制御処理を実行する制御回路７７における処理データの復号化処理が不要になる。これにより、制御回路７２において暗号化に伴う処理負担を増大させることがないと共に、制御回路７７において復号化に伴う処理負担を増大させることがない。さらに、処理データが暗号化された状態で送信されることによって、送信途中における秘匿が確保されるため、送信途中の処理データを盗み取って内容を読み取ることによる不正行為を防止することができる。この結果、本発明の通信システムは、通信用ＬＳＩＴ４３及び通信用ＬＳＩＴ４４・Ｔ４５を備えることによって、制御回路７２及び制御回路７７の負担を増大させることなく不正行為の防止を図ることができる。
【００３７】
また、上記の構成によれば、制御回路７２と制御回路７７との間に、通信用ＬＳＩＴ４３及び通信用ＬＳＩＴ４４・Ｔ４５を備えることによって、通信用ＬＳＩＴ４３及び通信用ＬＳＩＴ４４・Ｔ４５の少なくとも一方によって、制御回路７７に処理データを送信するタイミングを制御できる。したがって、制御回路７２において、制御回路７７に処理データを送信する出力タイミングを制御する必要がないので、制御回路７２の処理負担が軽減する。したがって、制御回路７２において制御回路７７に処理データを送信するタイミングを制御する場合、制御回路７２の負担増により複雑な制御などが制約されるが、本発明の通信システムでは、制御回路７２の処理負担が軽減するので、複雑な制御などを制御回路７７に行わせることができる。
【００３８】
また、本発明の通信システムでは、制御回路７７を複数備え、通信用ＬＳＩＴ４４・Ｔ４５の第２送信部Ｔ２は、複数の制御回路７７に処理データをそれぞれ送信してもよい。通信システムが複数の制御回路７７を備える場合は、制御回路７２から出力された処理データを複数の制御回路７７に送信する必要があって、制御回路７２において複数の制御回路７７に処理データを送信するタイミングを制御する場合、制御回路７２の処理負担が大きいが、本発明の通信システムでは、通信用ＬＳＩＴ４３及びＴ４４・Ｔ４５の少なくとも一方において、制御回路７７に処理データを送信するタイミングが制御されることより、制御回路７２の処理負担が軽減するので、制御回路７２から出力された処理データを複数の制御回路７７に送信する場合であっても、複雑な制御などを制御回路７７に行わせることができる。
【００３９】
また、本発明の通信システムでは、複数の通信用ＬＳＩＴ４４・Ｔ４５を備え、複数の通信用ＬＳＩＴ４４・Ｔ４５は、複数のデバイス制御回路７７に処理データをそれぞれ送信してもよい。この場合は、複数の通信用ＬＳＩＴ４４・Ｔ４５を備えるので、１つの通信用ＬＳＩが処理データを送信する制御回路７７を少なくできる。したがって、本発明の通信システムでは、通信用ＬＳＩＴ４４・Ｔ４５のそれぞれの処理負担が軽減するので、制御回路７７が多い場合であっても、複雑な制御などを制御回路７７に行わせることができる。
【００４０】
また、本実施形態では、通信用ＬＳＩＴ４３・Ｔ４４・Ｔ４５のいずれもが受信側と送信側との両方の機能を備えた同じ構成のものを用いているがこれに限定されない。例えば、通信用ＬＳＩＴ４３は、暗号化を行う暗号部Ｔ３としての機能を有し、復号化を行う復号部Ｔ５としての機能を有していなくてもよい。また、例えば、通信用ＬＳＩＴ４４・Ｔ４５は、復号化を行う復号部Ｔ５としての機能を有し、暗号化を行う暗号部Ｔ３としての機能を有していなくてもよい。
【００４１】
（通信用ＬＳＩ：構成：受信部・送信部：ＵＡＲＴ部Ｔ１１）
上記の通信システムにおける通信用ＬＳＩについての構成を具体的に説明する。
通信用ＬＳＩＴ１は、バスＴ１９を有している。また、通信用ＬＳＩＴ１は、送信部及び受信部としてのＵＡＲＴ部Ｔ１１を有している。ＵＡＲＴ部Ｔ１１は、バスＴ１９にパラレルでデータを送受信可能に接続されている。ＵＡＲＴ部Ｔ１１は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）からなるシリアル通信装置をハードウエア構成として有している。また、ＵＡＲＴ部Ｔ１１は、図１９のＵＡＲＴ処理ルーチン及び図２０のＵＡＲＴマスタ動作処理ルーチンを実行するハードウエア構成を有している。
【００４２】
ここで、ＵＡＲＴ部Ｔ１１に接続された『ＨＯＳＴ』とは、処理データを送受信する制御装置である。また、『ＬＳＩ』とは、本通信用ＬＳＩＴ１に信号ケーブルを介して接続された通信用ＬＳＩである。尚、『ＬＳＩ』は、同一構成の通信用ＬＳＩＴ１であることがコストダウンの点で好ましいが、異なる構成であってもよい。
【００４３】
ＵＡＲＴ部Ｔ１１は、１バイト（８ビット）のデータを１本の信号ケーブルで送るように、時系列にデータを分解して１ビットづつ出力（送信）又は入力（受信）する機能を有している。ＵＡＲＴ部Ｔ１１は、送信用と受信用とＧＮＤ用との３線式の構成にされている。ＵＡＲＴ部Ｔ１１は、送信用のＴＸ端子と受信用のＲＸ端子とを有しており、相手側となる他のＵＡＲＴへの接続は、送信用のＴＸ端子が相手側の受信用のＲＸ端子に接続されることで行われる。
【００４４】
通信フォーマットは、調歩同期式と称される方式であり、タイミングをとるための同期クロック線を不要にしたフォーマットである。通常の通信フォーマットは、スタートビットからストップビットまでが１バイト分の転送となるフォーマットである。処理データの転送がない時は、Ｈレベルとなっている。そして、処理データを転送する時に、送信用のＴＸ端子からスタートビットとして一定期間Ｌレベルのパルスが出力される。これにより、相手側のＵＡＲＴにおける受信用のＲＸ端子は、スタートビットによりＨレベルからＬレベル（０Ｖなど）に変化したことで、転送が開始されることを認識する。スタートビットが終了すると、処理データの１バイト分がビット０側（ＬＳＢともいう）から順に送信され、１バイト分（８ビット）の送信が完了すると、必要に応じてパリティビットがエラーチェック用のビットとして送信される。この後、必要に応じてパリティビットが送信された後、ストップビット（Ｈレベルのパルス）が送信される。
【００４５】
また、ＵＡＲＴ部Ｔ１１は、通信速度（ボーレート）が切替え可能にされている。具体的には、１１０ｂｐｓ、１５０ｂｐｓ、３００ｂｐｓ、６００ｂｐｓ、１２００ｂｐｓ、２４００ｂｐｓ、４８００ｂｐｓ、９６００ｂｐｓ、１９２００ｂｐｓ、３８４００ｂｐｓ、１１５ｋｂｐｓ等の複数の設定速度中から特定の設定速度を選択可能にされている。ｂｐｓはビット／秒である。
【００４６】
尚、本実施形態の通信用ＬＳＩＴ１を用いた通信システムにおいては、処理データが暗号化前の平文である場合の送信速度と、処理データが復号化後の平文である場合の送信速度とが異なった速度に設定されている。これにより、通信速度の相違により処理データの秘匿性が向上されている。ここで、通信速度は、処理データの通信積算量が所定量以上となったときに変更されてもよいし、日時や使用開始（電源投入）からの処理時間の経過毎に変更されてもよい。これにより、一層、処理データの秘匿性を向上させることができる。
【００４７】
（通信用ＬＳＩ：構成：受信部・送信部：ＳＰＩ１部Ｔ１２、ＳＰＩ２部Ｔ１３）
通信用ＬＳＩＴ１は、送信部及び受信部としてのＳＰＩ１部Ｔ１２及びＳＰＩ２部Ｔ１３を有している。これらのＳＰＩ１部Ｔ１２及びＳＰＩ２部Ｔ１３は、バスＴ１９に接続されている。また、ＳＰＩ１部Ｔ１２及びＳＰＩ２部Ｔ１３は、ＳＰＩ（Ｓｅｒｉａｌ  Ｐｅｒｉｐｈｅｒａｌ  Ｉｎｔｅｒｆａｃｅ）のハードウエア構成を有している。さらに、ＳＰＩ１部Ｔ１２及びＳＰＩ２部Ｔ１３は、図２１のＳＰＩ処理ルーチン及び図２２のＵＳＰＩマスタ動作処理ルーチンを実行するハードウエア構成を有している。
【００４８】
ＳＰＩは、同期式のシリアル通信の規格であり、非同期式シリアル通信に比べて高速で通信可能であると共に、複数のスレーブを接続することが可能にされている。具体的には、ＳＰＩは、同期式のシリアルバスの一種であり、クロック信号用のＳＣＫ（Ｓｅｒｉａｌ  Ｃｌｏｃｋ）、送信用のＭＩＳＯ（Ｍａｓｔｅｒ  Ｉｎ  Ｓｌａｖｅ  Ｏｕｔ）、受信用のＭＯＳＩ（Ｍａｓｔｅｒ  Ｏｕｔ  Ｓｌａｖｅ  Ｉｎ）、及びスレーブ選択用のＳＳ（Ｓｌａｖｅ  Ｓｅｌｅｃｔ）からなる４本の信号線を有している。
【００４９】
ＳＰＩ１部Ｔ１２及びＳＰＩ２部Ｔ１３は、シフトレジスタ同等の機能を内蔵しており、クロック信号用のＳＣＫのクロックに合わせて送信側からシリアルデータが順次出されていき、受信側において、シリアルデータがパラレルデータとして内部バスへ出力する構成を有している。処理データの送信タイミングは、クロックを出す側のＳＰＩ１部Ｔ１２・Ｔ１３が決定する。クロック信号を送信する側がマスタと称される。一方、クロック信号を受信してそのタイミングに従って処理データを送受信する側がスレーブと称される。これにより、例えば、マスタ側の通信用ＬＳＩＴ１やスレーブ側の通信用ＬＳＩＴ１、スレーブ側の制御機器等と称することができる。尚、クロック信号は、リロードタイマ部Ｔ１４やクロック・リセット制御部Ｔ１５により生成されている。
【００５０】
例えば、１マスタ及び１スレーブ間で通信する場合は、送信用のＭＩＳＯ（Ｍａｓｔｅｒ  Ｉｎ  Ｓｌａｖｅ  Ｏｕｔ）と、受信用のＭＯＳＩとを互い違いに接続して、クロック信号用のＳＣＫ（Ｓｅｒｉａｌ  Ｃｌｏｃｋ）同士が接続される。また、１マスタ及び複数スレーブ間で通信する場合は、１つのマスタに対して複数のスレーブのＳＳ同士が接続される。そして、スレーブ選択用のＳＳを用いて、複数のスレーブ中からマスタと通信する相手となるＳＰＩを通信をするか否かが選択可能にされる。複数のスレーブ中からマスタと通信する相手を特定するため、スレーブ選択用のＳＳ端子がＬレベルに設定されることによって、そのスレーブが有効にされる。
【００５１】
尚、一方向の通信の場合は、スレーブからマスタへのデータ信号を省略可能である。これにより、ハードウエア的に一方向の通信を実現することができる。また、本実施形態の通信用ＬＳＩＴ１を用いた通信システムにおいて、通信用ＬＳＩＴ１同士を接続してＳＰＩ通信により行う場合は、ＳＰＩ１部Ｔ１２及びＳＰＩ２部Ｔ１３とを接続し、一方をマスタ、他方をスレーブとする。これら通信用ＬＳＩＴ１と通信用ＬＳＩＴ１との間の通信速度は、ＵＡＲＴ部Ｔ１１の通信速度とは異なる速度に設定されている。これにより、通信用ＬＳＩＴ１の受信側及び送信側における通信速度の相違により処理データの秘匿性が向上されている。ここで、ＳＰＩ１部Ｔ１２及びＳＰＩ２部Ｔ１３の通信速度は、処理データの通信積算量が所定量以上となったときに変更されてもよいし、日時や使用開始（電源投入）からの処理時間の経過毎に変更されてもよい。これにより、一層、処理データの秘匿性を向上させることができる。
【００５２】
（通信用ＬＳＩ：構成：受信部・送信部：Ｉ２Ｃ部Ｔ１６）
通信用ＬＳＩＴ１は、送信部及び受信部としてのＩ２Ｃ部Ｔ１６を有している。Ｉ２Ｃ部Ｔ１６は、バスＴ１９に接続されている。Ｉ２Ｃ部Ｔ１６は、同期式のシリアル通信を行うＩ２Ｃ（Ｉｎｔｅｒ−Ｉｎｔｅｇｒａｔｅｄ  Ｃｉｒｃｕｉｔ）のハードウエア構成を有している。また、Ｉ２Ｃ部Ｔ１６は、図２５のＩ２Ｃ処理ルーチンを実行するハードウエア構成を有している。Ｉ２Ｃ部Ｔ１６は、非同期式シリアル通信に比べて、高速で通信可能であると共に、ＳＰＩと同様に、複数のスレーブを接続することが可能になっている。マスタは、複数のスレーブの中からアドレスを指定しすることによりスレーブを選択し、その後、そのスレーブと通信するようになっている。ビットレートにより、標準モードやファーストモード、ハイスピードモード等の複数の通信速度を切替え可能になっている。
【００５３】
尚、Ｉ２Ｃ部Ｔ１６の通信速度は、上述のＵＡＲＴ部Ｔ１１の通信速度及びＳＰＩ１部Ｔ１２の通信速度とは異なる速度であることが好ましい。これにより、通信用ＬＳＩＴ１の受信側及び送信側における通信速度の相違により処理データの秘匿性が向上されている。ここで、Ｉ２Ｃ部Ｔ１６の通信速度は、処理データの通信積算量が所定量以上となったときに変更されてもよいし、日時や使用開始（電源投入）からの処理時間の経過毎に変更されてもよい。これにより、一層、処理データの秘匿性を向上させることができる。
【００５４】
Ｉ２Ｃ部Ｔ１６は、単数のマスタと単数又は複数のスレーブとの間をＳＣＬ線とＳＤＡ線とでパーティーライン状に接続することによりデータ通信可能にされている。Ｉ２Ｃ部Ｔ１６は、マスタが常に権限を持っており、マスタが送信するクロック信号ＳＣＬを基準にして、データ信号がＳＤＡライン上で転送される。また、各スレーブは、アドレスを有しており、データの中にアドレスが含まれていることと、１バイト転送毎に受信側からＡＣＫ信号の返送をして、互いに確認を取りながらデータ転送を行うようになっている。そして、Ｉ２Ｃ部Ｔ１６は、ブロック転送により大量のデータを転送することが可能にされている。
【００５５】
Ｉ２Ｃ通信の基本的な転送動作は、先ず、マスタ側におけるＳＣＬがＨｉｇｈの場合にＳＤＡをＬｏｗにしたときをスタートコンディションとし、その後、続けてマスタがクロックの供給を続けながらアドレスとＲｅａｄ／Ｗｒｉｔｅ要求のデータを送信する。この後、アドレスで指定されたスレーブが、マスタと１対１で指定された方向に通信を行う。即ち、ＳＣＬのクロックに従って送信側から８ビットのデータが出力され、続いて受信側からアクノリッジ（ＡＣＫ）信号が返送される。この時、受信する側は、処理データの取り出しが完了するまで、ビジーとしてＳＣＬを強制的にＬｏｗにすれば、この間は見かけ上クロックが無くなるので、送信側は次のデータを出力するのを待つことになる。最後のデータ送信を完了し、ＡＣＫを確認したあと、スレーブがＳＤＡを解放し、マスタがＳＤＡをＬｏｗにしてクロックを停止してＨｉｇｈにしてから、ＳＤＡをＨｉｇｈにすることでストップシーケンスとなり通信が完了する。
【００５６】
Ｉ２Ｃ通信の基本的な通信のデータフォーマットとしては、アドレスフォーマットとデータフォーマットとがある。通信データ全体のフォーマットは、マスタが受信側になる場合には、最初にアドレスフォーマットの部分で、受信側になることを特定スレーブに向けて送信し、それに続いて指定されたスレーブがデータの送信を開始する。マスタはデータを受信したらＡＣＫを返信する。
【００５７】
（通信用ＬＳＩ：構成：受信部・送信部：ＤＭＡＣ部Ｔ１７）
通信用ＬＳＩＴ１は、通信用ＬＳＩＴ１に接続されたＤＭＡＣ部Ｔ１７を有している。ＤＭＡＣ部Ｔ１７は、ＣＰＵを介さずにデータ転送を行うＤＭＡコントローラからなるＤＭＡ（Ｄｉｒｅｃｔ  Ｍｅｍｏｒｙ  Ａｃｃｅｓｓ）のハードウエア構成を有している。また、ＤＭＡＣ部Ｔ１７は、図２４のＤＭＡＣ処理ルーチンを実行するハードウエア構成を有している。ＤＭＡＣ部Ｔ１７は、ＵＡＲＴ部Ｔ１１やＳＰＩ１部Ｔ１２、ＳＰＩ２部Ｔ１３、Ｉ２Ｃ部Ｔ１６が送信部となってシリアル送信する場合に、必要に応じて、これらの送信と連動してＤＭＡ機能により処理データをシリアル送信させるようになっている。
【００５８】
ＤＭＡＣ部Ｔ１７は、通信バッファ用のＳＲＡＭ部Ｔ１８に対してバスＴ１９を介して読み書き可能にされている。尚、ＤＭＡＣ部Ｔ１７は、ワーク用のＳＲＡＭ部Ｔ２０に対して読み書き可能にされていてもよい。例えば、ＤＭＡＣ部Ｔ１７は、ワーク用のＳＲＡＭ部Ｔ２０から通信バッファ用のＳＲＡＭ部Ｔ１８に転送するようになっていてもよい。この場合には、ＳＲＡＭ部Ｔ２０・Ｔ１８間におけるデータ転送を短時間で処理することができる。
【００５９】
また、ＤＭＡＣ部Ｔ１７は、シングル転送モードやブロック転送モード、デマンド伝送モードを切替え可能に有している。これらの転送モードは、使用目的やＤＭＡスレーブデバイスの機能に応じて使い分け可能にされている。ここで、シングル転送モードは、ＤＭＡ転送を１サイクル実行するたびにバス制御権を解放する方式である。ブロック転送モードは、ＤＭＡ転送を開始すると、指定転送回数が完了するまで連続でＤＭＡ転送を実行し、バス制御権を解放しない方式である。デマンド伝送モードは、ＤＭＡスレーブデバイスから発行されるＤＭＡ転送要求信号によってＤＭＡ転送を開始し、要求信号がアクティブになっている間だけＤＭＡ転送を行う方式である。尚、バス制御権とは、バスＴ１９を専有する権利のことであり、例えば、ＤＭＡＣ部Ｔ１７がバス制御権を有すると、後述のＡＥＳ部Ｔ２１等のデバイスがバスＴ１９を介して受信部Ｔ２０にアクセスできない状態を言う。
【００６０】
尚、ＤＭＡＣ部Ｔ１７は、転送時に誤り訂正データを必要に応じて処理データに付加してもよい。これにより、転送先においては、暗号化前や暗号化後に拘わらずに転送された処理データの誤り訂正が可能になる。尚、誤り訂正データは、ＤＭＡＣ部Ｔ１７に記憶されていてもよいし、ＳＲＡＭ部Ｔ２０やＳＲＡＭ部Ｔ１８、不揮発性メモリ部Ｔ２２等の記憶部に記憶されていてもよいし、さらには、送信部Ｔ４となるＳＰＩ１部Ｔ１２やＳＰＩ２部Ｔ１３、ＵＡＲＴ部Ｔ１１、Ｉ２Ｃ部Ｔ１６に記憶されていてもよい。ＳＲＡＭ部Ｔ２０に誤り訂正データが記憶された場合は、受信した処理データがＳＲＡＭ部Ｔ２０に記憶されたときに、誤り訂正データが付加された状態となる。
【００６１】
（通信用ＬＳＩ：構成：暗号部・復号部：ＡＥＳ部Ｔ２１）
通信用ＬＳＩＴ１は、暗号部及び復号部としてのＡＥＳ部Ｔ２１を有している。ＡＥＳ部Ｔ２１は、バスＴ１９に接続されている。ＡＥＳ部Ｔ２１は、秘密の共通鍵を使う共通鍵ブロック暗号方式により暗号化と復号化を行うようになっている。即ち、ＡＥＳ部Ｔ２１は、ＡＥＳ（Ａｄｖａｎｃｅｄ  Ｅｎｃｒｙｐｔｉｏｎ  Ｓｔａｎｄａｒｄ）暗号化アルゴリズムと、ＡＥＳ暗号化アルゴリズムの逆関数であるＡＥＳ復号化アルゴリズムとをハードウエア構成で備えている。これらのアルゴリズムは、共通鍵を使って平文の処理データを暗号化すると共に、同じ共通鍵を使って暗号化した処理データを元の平文に戻すようになっている。また、ＡＥＳ部Ｔ２１は、図２３の暗号・復号処理ルーチンを実行するハードウエア構成を有している。
【００６２】
ここで、ＡＥＳ暗号アルゴリズムは、共通鍵暗号方式の代表的な暗号化アルゴリズムであり、鍵長が１２８ビット、１９２ビット、２５６ビットから選ぶことが可能であって、ブロック長が１２８ビットのＳＰＮ構造のブロック暗号である。
【００６３】
ＳＰＮ構造（Ｓｕｂｓｔｉｔｕｔｉｏｎ  Ｐｅｒｍｕｔａｔｉｏｎ  Ｎｅｔｗｏｒｋ  Ｓｔｒｕｃｔｕｒｅ）は、ブロック暗号の構成法の一種である。小さな非線形置換と、それを処理ブロック単位に拡大する転置からなる構造からＳＰＮ構造と称される。ほとんどのブロック暗号は、実装コストを効率化するため、同一のラウンド関数を繰り返す繰返し暗号になっており、ＳＰＮ構造は、繰返し暗号の代表的な構成法である。他の構成としてはＦｅｉｓｔｅｌ構造がある。また、ブロック暗号とは、共通鍵暗号の一種であり、固定長のデータ（ブロックと呼ぶ）を単位として処理する暗号の総称である。これに対して、ビット単位やバイト単位で処理を行う暗号はストリーム暗号と称される。
【００６４】
また、ＡＥＳ部Ｔ２１は、暗号化前に誤り訂正データを処理データに付加することが可能になっている。これにより、転送先において、復号された処理データの誤り訂正を訂正することを可能にしている。尚、誤り訂正データは、ＡＥＳ部Ｔ２１に記憶されていてもよいし、ＳＲＡＭ部Ｔ２０やＳＲＡＭ部Ｔ１８、不揮発性メモリ部Ｔ２２等の記憶部に記憶されていてもよい。ＳＲＡＭ部Ｔ２０に誤り訂正データが記憶された場合は、受信した処理データがＳＲＡＭ部Ｔ２０に記憶されたときに、誤り訂正データが付加された状態となる。
【００６５】
（通信用ＬＳＩ：構成：記憶部：不揮発性メモリ部Ｔ２２）
通信用ＬＳＩＴ１は、不揮発性メモリ部Ｔ２２を有している。不揮発性メモリ部Ｔ２２は、バスＴ１９に接続されている。不揮発性メモリ部Ｔ２２は、電源を供給しなくても記憶を保持する不揮発性メモリを有している。不揮発性メモリとしては、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気抵抗ＲＡＭ（ＭＲＡＭ：Ｍａｇｎｅｔｏｒｅｓｉｓｔｉｖｅ  Ｒａｎｄｏｍ  Ａｃｃｅｓｓ  Ｍｅｍｏｒｙ）、抵抗変化型メモリ（ＲｅＲＡＭ：Ｒｅｓｉｓｔａｎｃｅ  Ｒａｎｄｏｍ  Ａｃｃｅｓｓ  Ｍｅｍｏｒｙ）、強誘電体メモリ（ＦｅＲＡＭ：Ｆｅｒｒｏｅｌｅｃｔｒｉｃ  Ｒａｎｄｏｍ  Ａｃｃｅｓｓ  Ｍｅｍｏｒｙ）、ＰＲＡＭ（Ｐｈａｓｅ  ｃｈａｎｇｅ  ＲＡＭ）等を用いることができる。
【００６６】
不揮発性メモリ部Ｔ２２は、ＡＥＳ部Ｔ２１における暗号化や復号化に用いられるＡＥＳ暗号化アルゴリズム、ＡＥＳ復号化アルゴリズム、及び共通鍵を書き換え可能に記憶している。
【００６７】
また、不揮発性メモリ部Ｔ２２は、専用端子Ｔ２２１に接続されており、専用端子Ｔ２２１に接続された専用端子Ｔ２２１により記憶内容を変更可能にされている。専用端子Ｔ２２１は、汎用の端子とは形状やサイズ、ピン数等が異なる特殊な端子であり、共通鍵書込み装置は、専用端子Ｔ２２１に接続することが可能な端子を備えている。これにより、不揮発性メモリ部Ｔ２２は、専用端子Ｔ２２１に接続可能な共通鍵書込み装置からのみアクセス可能にされている。
【００６８】
（通信用ＬＳＩ：構成：記憶部：ＳＲＡＭ部Ｔ２０）
通信用ＬＳＩＴ１は、記憶部としてワーク用のＳＲＡＭ部Ｔ２０を有している。ＳＲＡＭ部Ｔ２０は、バスＴ１９に接続されている。ＳＲＡＭ部Ｔ２０は、４９６Ｂ等のＳＲＡＭ（Ｓｔａｔｉｃ  Ｒａｎｄｏｍ  Ａｃｃｅｓｓ  Ｍｅｍｏｒｙ）を有している。ＳＲＡＭ部Ｔ２０は、制御装置からの処理データをＵＡＲＴ部Ｔ１１が受信したときの一時記憶用のメモリとして用いられると共に、ＡＥＳ部Ｔ２１による処理データの暗号化及び復号化に用いられるようになっている。
【００６９】
（通信用ＬＳＩ：構成：記憶部：ＳＲＡＭ部Ｔ１８）
通信用ＬＳＩＴ１は、記憶部として通信バッファ用のＳＲＡＭ部Ｔ１８を有している。ＳＲＡＭ部Ｔ１８は、バスＴ１９に接続されている。ＳＲＡＭ部Ｔ１８は、３２Ｋ×８ページ分等のＳＲＡＭを有している。ＳＲＡＭ部Ｔ１８は、ＡＥＳ部Ｔ２１により復号化された平文の処理データを一時的に記憶し、ＤＭＡＣ部Ｔ１７によりＩ２Ｃ部Ｔ１６等の送信部を介して外部に送信される処理データの通信バッファとして用いられるようになっている。
【００７０】
（通信用ＬＳＩ：構成：受信部・送信部：リロードタイマ部Ｔ１４・クロック・リセット制御部Ｔ１５）
通信用ＬＳＩＴ１は、バスＴ１９に接続されたリロードタイマ部Ｔ１４及びクロック・リセット制御部Ｔ１５を備えている。リロードタイマ部Ｔ１４は、リロードタイマのハードウエア構成を有している。リロードタイマは、カウントダウンのスタート値が決定されており、タイマがスタートすると、設定で決められた一定周期毎にカウントダウンし、カウントが０まで到達するとカウントダウン終了となり、カウンタのスタート値が再設定され、再びカウントダウンが開始されるという動作を繰り返すタイマーである。リロードタイマ部Ｔ１４は、このリロードタイマを２チェンネル分備えている。尚、このリロードタイマは、ＵＡＲＴ部Ｔ１１やＩ２Ｃ部Ｔ１６や等の処理データの通信時のクロックに用いられるようになっている。
【００７１】
また、クロック・リセット制御部Ｔ１５は、ＯＳＣ（ｅｌｅｃｔｒｏｎｉｃ  ｏｓｃｉｌｌａｔｏｒ）に接続されており、通信用ＬＳＩＴ１が動作するときのタイミングを取るための周期的な信号であるクロックパルスが入力されるようになっている。また、クロック・リセット制御部Ｔ１５は、外部リセット信号が入力されるようになっており、この外部リセット信号の入力をトリガーとして通信用ＬＳＩＴ１の動作を初期化するようになっている。尚、外部リセット信号は、自動又は手動で出力されるものであり、例えば、不正や不具合が発生していることを管理者が発見したときに、異常ボタンを押圧操作して外部リセット信号をクロック・リセット制御部Ｔ１５に出力して非常リセットする場合等に用いられる。ＡＥＳ部Ｔ２１、ＤＭＡＣ部Ｔ１７、ＳＰＩ１部Ｔ１２、ＳＰＩ２部Ｔ１３、ＵＡＲＴ部Ｔ１１、及びＩ２Ｃ部Ｔ１６は、条件判断や動作処理を実行するプログラムをハードウエア構成として備えている。尚、通信用ＬＳＩＴ１がバスＴ１９に接続され、各プログラムを実行させるＣＰＵ部を備えていてもよい。
【００７２】
（通信用ＬＳＩを搭載した通信システム：構成１）
上記の通信用ＬＳＩＴ１を搭載した構成１の通信システムを図３〜図５に基づいて説明する。
【００７３】
構成１の通信システムは、図３に示すように、暗号化前の処理データを出力するホスト側制御装置Ｔ３１と、ホスト側制御装置Ｔ３１に通信可能にされ、この通信により受信した処理データを暗号化するマスタ側の通信用ＬＳＩＴ３３と、マスタ側の通信用ＬＳＩＴ３３に通信可能にされ、この通信により受信した暗号化された処理データを復号化するスレーブ側の通信用ＬＳＩＴ３４と、通信用ＬＳＩＴ３４に通信可能にされ、この通信により受信した復号化された処理データに基づいて作動するサブホスト側制御装置Ｔ３２とを有している。
【００７４】
尚、通信用ＬＳＩＴ３３及び通信用ＬＳＩＴ３４には、上述の通信用ＬＳＩＴ１がそれぞれ用いられている。また、通信は、有線及び無線の何れであってもよい。有線と無線とを組み合わせた具体例については後述する。また、ホスト側制御装置Ｔ３１及びサブホスト側制御装置Ｔ３２は、遊技機の制御装置の他、掃除機や冷蔵庫、テレビ等の家電製品、自動車や電車等の制御装置、その他の産業機器の制御装置が該当する。
【００７５】
ホスト側制御装置Ｔ３１と通信用ＬＳＩＴ３３とは、ＵＡＲＴ通信により双方向にシリアル送信可能にされている。ホスト側制御装置Ｔ３１及び通信用ＬＳＩＴ３３間の第１通信速度は、３８４００ｂｐｓに設定されている。また、通信用ＬＳＩＴ３４とサブホスト側制御装置Ｔ３２とは、ＵＡＲＴ通信により双方向にシリアル送信可能にされている。通信用ＬＳＩＴ３４及びサブホスト側制御装置Ｔ３２間の第３通信速度は、３８４００ｂｐｓに設定されている。尚、本実施形態においては、第１通信速度と第３通信速度とが同一の通信速度に設定されているが、これに限定されるものではなく、異なる通信速度に設定されていてもよい。これにより、処理データの秘匿性を高めることが可能になっている。
【００７６】
また、通信用ＬＳＩＴ３３と通信用ＬＳＩＴ３４とは、ＳＰＩ通信により通信用ＬＳＩＴ３３から通信用ＬＳＩＴ３４への一方向にシリアル通信可能にされている。通信用ＬＳＩＴ３３及び通信用ＬＳＩＴ３４間の第２通信速度は、ホスト側制御装置Ｔ３１及び通信用ＬＳＩＴ３３間の第１通信速度よりも低速に設定されていると共に、通信用ＬＳＩＴ３４及びサブホスト側制御装置Ｔ３２間の第３通信速度よりも低速に設定されている。これにより、暗号化された処理データを送信する第２通信速度が第１通信速度及び第３通信速度とは異なる通信速度に設定されることによって、処理データの秘匿性を高めることが可能になっている。尚、第１通信速度と第２通信速度と第３通信速度とは、それぞれ異なる通信速度であってもよい。
【００７７】
構成１の通信システムを具体的に説明すると、図４に示すように、ホスト側制御装置Ｔ３１のＵＡＲＴＴ３１１が通信用ＬＳＩＴ３３のＵＡＲＴ部Ｔ１１に接続されている。通信用ＬＳＩＴ３３のＳＰＩ１部Ｔ１２は、通信用ＬＳＩＴ３４のＳＰＩ１部Ｔ１２に接続されている。通信用ＬＳＩＴ３４のＵＡＲＴ部Ｔ１１は、サブホスト側制御装置Ｔ３２のＵＡＲＴＴ３２１に接続されている。
【００７８】
尚、通信用ＬＳＩＴ３３のＳＰＩ１部Ｔ１２における送信用のＭＩＳＯ（Ｍａｓｔｅｒ  Ｉｎ  Ｓｌａｖｅ  Ｏｕｔ）と、通信用ＬＳＩＴ３４のＳＰＩ１部Ｔ１２における受信用のＭＯＳＩとがデータ信号用としてのみ接続されている。即ち、その他の送信用のＭＩＳＯと受信用のＭＯＳＩとの接続は行われていない。これにより、通信用ＬＳＩＴ３３から通信用ＬＳＩＴ３４への一方向のデータ通信が実現されている。
【００７９】
上記のように構成された通信システムの動作を説明する。
先ず、出荷段階や通信用ＬＳＩＴ１を搭載した機器の設置後の段階において、暗号化のための共通鍵データ、ＡＥＳ暗号化アルゴリズム、及びＡＥＳ復号化アルゴリズムが専用端子Ｔ２２１に接続された共通鍵書込み装置から不揮発性メモリ部Ｔ２２に記憶される。この処理は、全ての通信用ＬＳＩＴ３３及び通信用ＬＳＩＴ３４において行われる。
【００８０】
この後、図５に示すように、ホスト側制御装置Ｔ３１から所定量の処理データが８ビット（１バイト）単位でシリアル送信されると、通信用ＬＳＩＴ３３のＵＡＲＴ部Ｔ１１に受信される。この際、パリティビットは付加されてない。また、通信は、非同期であり、リロードタイマとＯＳＣを用いたクロックに基づいて行われる。また、ＵＡＲＴ通信は、ハードウエアフロー制御によりデータの欠落が防止されている。
【００８１】
通信用ＬＳＩＴ３３のＵＡＲＴ部Ｔ１１に受信された処理データは、４９６Ｂのワーク用のＳＲＡＭ部Ｔ２０に記憶される。ＳＲＡＭ部Ｔ２０に所定量の処理データが記憶されると、ＡＥＳ部Ｔ２１が作動し、誤り訂正データが処理データに付加された後、共通鍵データ及びＡＥＳ暗号化アルゴリズムを用いて処理データ及び誤り訂正データが暗号化される。これにより、処理データ及び誤り訂正データは、暗号文からなる暗号化処理データ及び暗号化誤り訂正データに置き換わることになる。
【００８２】
次に、通信用ＬＳＩＴ３３において暗号化処理データ及び暗号化誤り訂正データがＳＰＩ１部Ｔ１２間のＳＰＩ通信により通信用ＬＳＩＴ３４にシリアル送信され、この通信用ＬＳＩＴ３４におけるワーク用のＳＲＡＭ部Ｔ２０に記憶される。そして、全ての処理データが記憶されたときに、ＡＥＳ部Ｔ２１による復号化が行われる。尚、一部の処理データが記憶される毎にＡＥＳ部Ｔ２１による復号化を順次行うようにしてもよい。即ち、共通鍵データとＡＥＳ復号化アルゴリズムとを用いて暗号化処理データ及び暗号化誤り訂正データが復号化される。そして、復号化された誤り訂正データを用いて処理データの誤り訂正が行われる。この結果、ワーク用のＳＲＡＭ部Ｔ２０は、復号化された処理データに置き換わることになる。
【００８３】
この後、復号化された処理データにパリティビットが付加されながら、サブホスト側制御装置Ｔ３２のＵＡＲＴＴ３２１にパリティビット＋８ビット（１バイト）の単位でシリアル送信される。そして、サブホスト側制御装置Ｔ３２におけるパリーティーチェックによりデータ送信の成否が判定され、失敗していれば、送信先の通信用ＬＳＩＴ３４のＵＡＲＴ部Ｔ１１に対して再送信を促したり、データを破棄する。
【００８４】
また、このような一連の処理動作中や処理動作の前後において、クロック・リセット制御部Ｔ１５に対して外部リセット信号が自動や手動で入力されると、通信用ＬＳＩＴ３３及び通信用ＬＳＩＴ３４が初期状態に復帰される。これにより、不正行為や異常動作の検知時や発見時に、外部リセット信号を自動や手動で入力可能に構成することによって、不正行為や異常動作を検知や発見してから短時間でリセットすることができる。
【００８５】
（通信用ＬＳＩを搭載したシステム：構成２）
上記の通信用ＬＳＩＴ１を搭載した構成２の通信システムを図１、図６、図７に基づいて説明する。
【００８６】
構成２の通信システムは、図１に示すように、暗号化前の処理データを出力する制御回路７２と、制御回路７２に通信可能にされ、この通信により受信した処理データを暗号化するマスタ側の通信用ＬＳＩＴ４３と、マスタ側の通信用ＬＳＩＴ４３に通信可能にされ、この通信により受信した暗号化された処理データを復号化するスレーブ側の複数（２個等）の通信用ＬＳＩＴ４４・Ｔ４５と、これらの通信用ＬＳＩＴ４４・Ｔ４５に通信可能にされ、この通信により受信した復号化された処理データに基づいて作動する複数（４個×２等）の制御回路７７とを有している。
【００８７】
尚、通信用ＬＳＩＴ４３及び通信用ＬＳＩＴ４４には、上述の通信用ＬＳＩＴ１がそれぞれ用いられている。また、通信は、有線及び無線の何れであってもよい。有線と無線とを組み合わせた具体例については後述する。
【００８８】
制御回路７２と通信用ＬＳＩＴ４３とは、ＳＰＩ通信により双方向にシリアル送信可能にされている。制御回路７２及び通信用ＬＳＩＴ４３間の第４通信速度は、最大５Ｍｂｐｓに設定されている。また、通信用ＬＳＩＴ４３と各通信用ＬＳＩＴ４４とは、ＳＰＩ通信により双方向にシリアル送信可能にされている。通信用ＬＳＩＴ４３及び各通信用ＬＳＩＴ４４間の第５送信速度は、最大５Ｍｂｐｓに設定されている。尚、第４通信速度と第５通信速度とは、同一の通信速度であってもよいが、データの秘匿性の観点から異なる通信速度であることが好ましい。さらに、複数の第５通信速度間において、同一の通信速度であってもよいが、データの秘匿性の観点から異なる通信速度であることが好ましい。
【００８９】
通信用ＬＳＩＴ４４と制御回路７７とは、Ｉ２Ｃにより通信用ＬＳＩＴ４４から通信用ＬＳＩＴ４３へ一方向にシリアル送信可能にされている。通信用ＬＳＩＴ４４及び制御回路７７間の第６通信速度は、最大１Ｍｂｐｓに設定されている。尚、第６通信速度は、第４通信速度及び第５通信速度と同一の通信速度であってもよいが、データの秘匿性の観点から異なる通信速度であることが好ましい。さらに、複数の第６通信速度間においても、データの秘匿性の観点から異なる通信速度に設定されていることが好ましい。
【００９０】
構成２の通信システムを具体的に説明すると、図６に示すように、暗号化前の処理データを出力するホスト側制御装置Ｔ４１のＵＡＲＴＴ４１１が、ホスト側制御装置Ｔ４１に通信可能にされ、この通信により受信した処理データを暗号化するマスタ側の通信用ＬＳＩＴ４３のＳＰＩ２部Ｔ１３に接続されている。通信用ＬＳＩＴ４３のＳＰＩ１部Ｔ１２は、マスタ側の通信用ＬＳＩＴ４３に通信可能にされ、この通信により受信した暗号化された処理データを復号化するスレーブ側の複数の通信用ＬＳＩＴ４４・Ｔ４５のＳＰＩ１部Ｔ１２に接続されている。通信用ＬＳＩＴ４４・Ｔ４５のＩ２Ｃ部Ｔ１６は、これらの通信用ＬＳＩＴ４４・Ｔ４５に通信可能にされ、この通信により受信した復号化された処理データに基づいて作動する複数（４個×２等）のＩ２ＣデバイスＴ４２に接続されている。
【００９１】
尚、ホスト側制御装置Ｔ４１は、遊技機の制御装置の他、掃除機や冷蔵庫、テレビ等の家電製品、自動車や電車等の制御装置、その他の産業機器の制御装置が該当する。また、通信用ＬＳＩＴ４３及び通信用ＬＳＩＴ４４は、ＳＰＩ１部Ｔ１２における送信用のＭＩＳＯと受信用のＭＯＳＩとが相互に接続されている。これにより、通信用ＬＳＩＴ４３及び通信用ＬＳＩＴ４４間の双方向のデータ通信が実現されている。
【００９２】
上記のように構成された通信システムの動作を説明する。
先ず、出荷段階や通信用ＬＳＩＴ１を搭載した機器の設置後の段階において、暗号化のための共通鍵データ、ＡＥＳ暗号化アルゴリズム、及びＡＥＳ復号化アルゴリズムが専用端子Ｔ２２１に接続された共通鍵書込み装置から不揮発性メモリ部Ｔ２２に記憶される。この処理は、全ての通信用ＬＳＩＴ４３及び通信用ＬＳＩＴ４４において行われる。
【００９３】
この後、図７に示すように、ホスト側制御装置Ｔ４１から所定量の処理データが８ビット（１バイト）単位でＳＰＩ通信によりシリアル送信されると、通信用ＬＳＩＴ４３のＳＰＩ２部Ｔ１３に受信される。尚、通信は、リロードタイマとＯＳＣを用いたクロックに基づいて行われる。
【００９４】
通信用ＬＳＩＴ４３のＳＰＩ２部Ｔ１３に受信された処理データは、４９６Ｂのワーク用のＳＲＡＭ部Ｔ２０に記憶される。ＳＲＡＭ部Ｔ２０に所定量の処理データが記憶されると、ＡＥＳ部Ｔ２１が作動し、誤り訂正データが処理データに付加された後、共通鍵データ及びＡＥＳ暗号化アルゴリズムを用いて処理データ及び誤り訂正データが暗号化される。これにより、処理データ及び誤り訂正データは、暗号文からなる暗号化処理データ及び暗号化誤り訂正データに置き換わることになる。
【００９５】
次に、スレーブとなる送信先の通信用ＬＳＩＴ４４のスレーブ選択用のＳＳがアクティブにされることにより選択される。そして、暗号化処理データ及び暗号化誤り訂正データがＳＰＩ通信により通信用ＬＳＩＴ４４のＳＰＩ１部Ｔ１２にシリアル送信される。シリアル送信された暗号化処理データ及び暗号化誤り訂正データは、ワーク用のＳＲＡＭ部Ｔ２０に記憶される。そして、全ての暗号化処理データ及び暗号化誤り訂正データが記憶されたときに、ＡＥＳ部Ｔ２１による復号化が行われる。尚、一部の処理データが記憶される毎にＡＥＳ部Ｔ２１による復号化を順次行うようにしてもよい。そして、復号化された誤り訂正データを用いて処理データの誤り訂正が行われる。この結果、ワーク用のＳＲＡＭ部Ｔ２０は、復号化された処理データに置き換わることになる。
【００９６】
復号化された処理データは、通信バッファ用のＳＲＡＭ部Ｔ１８に記憶される。この後、制御回路７２から出力された処理データに含まれる、制御回路７７に処理データを送信するタイミングの情報に基づいて、ＤＭＡＣ部Ｔ１７において転送要求が生成され、この転送要求によりＤＭＡＣ部Ｔ１７は、サイクルスチールの通常モードで作動する。即ち、ＤＭＡＣ部Ｔ１７は、送信先のＩ２ＣデバイスＴ４２を選択した後、このＩ２ＣデバイスＴ４２に対してリロードタイマ及びＯＳＣにより形成されたバスサイクルの下、一回の転送単位（例えば、１６  バイト単位）で通信バッファ用のＳＲＡＭ部Ｔ１８からＩ２Ｃ部Ｔ１６を介してＩ２ＣデバイスＴ４２に転送する。そして、一回の転送単位ごとにバス権を他のＵＡＲＴ部Ｔ１１やＡＥＳ部Ｔ２１等のバスマスタに渡し、その後、転送要求が生成されれば、他のバスマスタからバス権を取り戻し、再び１転送単位の転送を行うという通信処理を転送終了条件が満たされるまで繰り返す。
【００９７】
また、このような一連の処理動作中や処理動作の前後において、クロック・リセット制御部Ｔ１５に対して外部リセット信号が自動や手動で入力されると、通信用ＬＳＩＴ３３及び通信用ＬＳＩＴ３４が初期状態に復帰される。これにより、不正行為や異常動作の検知時や発見時に、外部リセット信号を自動や手動で入力可能に構成することによって、不正行為や異常動作を検知や発見してから短時間でリセットすることができる。
【００９８】
（遊技機：概要）
次に、通信用ＬＳＩＴ１を備えた遊技機１について説明する。
図９に示すように、遊技機１は、遊技を実行する主基板１１と、主基板１１から送信される処理データに基づいて遊技に関する演出処理を実行するサブ基板１２及び図示しないデバイス基板１３とを有している。そして、サブ基板１２は、処理データを暗号化し、デバイス基板１３に送信する第１の通信用ＬＳＩＴ４３を有しており、デバイス基板１３は、第１の通信用ＬＳＩＴ４３からの処理データを受信し、当該処理データを復号化する第２の通信用ＬＳＩＴ４４・Ｔ４５を有している。
【００９９】
上記構成によれば、遊技機において通信用ＬＳＩＴ４３を有するサブ基板１２及び通信用ＬＳＩＴ４４・Ｔ４５を有するデバイス基板１３間で通信される処理データが、暗号化されて通信用ＬＳＩＴ４３から送信されるため、サブ基板１２からデバイス基板１３に送信する処理データは通信用ＬＳＩＴ４３及びＴ４４・Ｔ４５間で秘匿されたものとなり、送信途中の処理データを盗み取って内容を読み取ることによる不正行為を防止することができる。また、上記構成によれば、遊技機では、サブ基板１２のサブ制御回路７２の処理負担が軽減するので、複雑な制御などをデバイス基板１３のデバイス制御回路７７に行わせることができる。
【０１００】
尚、本実施形態においては、パチスロ装置を用いて遊技機１を説明するが、これに限定されるものではなく、遊技機１がパチンコ装置であってもよい。さらに、遊技機１は、ストップボタンを有しないスロットマシンであってもよいし、その他のルーレットゲーム等のゲーミングマシンであってもよい。
【０１０１】
（遊技機１の構造）
次に、パチスロ装置が適用された遊技機１の構造について説明する。図８は、遊技機１の外部構造を示す。
【０１０２】
（リール５３ａ・５３ｂ・５３ｃと表示窓５５ａ・５５ｂ・５５ｃ）
遊技機１は、リールや回路基板等を収容するキャビネット５１と、キャビネット５１に対して開閉可能に取り付けられるフロントドア５２とを備える。キャビネット５１の内部には、３つのリール５３ａ・５３ｂ・５３ｃが横並びに設けられている。各リール５３ａ・５３ｂ・５３ｃは、円筒状のフレームの周面に帯状のシートを貼り付けた構成にされている。、帯状のシートは、複数の図柄（例えば２１個）を有している。これらの図柄は、リール５３ａ・５３ｂ・５３ｃの回転方向に沿って連続的に配置されている。
【０１０３】
フロントドア５２の中央には、液晶表示装置５４が配置されている。液晶表示装置５４は、図柄表示領域５４ａ・５４ｂ・５４ｃを含む表示画面を備えている。液晶表示装置５４は、正面から見て３つのリール５３ａ・５３ｂ・５３ｃに重畳する手前側に位置するように配置されている。図柄表示領域５４ａ・５４ｂ・５４ｃは、３つのリール５３ａ・５３ｂ・５３ｃのそれぞれに対応して配置されている。図柄表示領域５４ａ・５４ｂ・５４ｃは、その背後に設けられたリール５３ａ・５３ｂ・５３ｃを透過することが可能になっている。
【０１０４】
つまり、図柄表示領域５４ａ・５４ｂ・５４ｃは、表示窓５５ａ・５５ｂ・５５ｃとしての機能を果たすものであり、その背後に設けられたリール５３ａ・５３ｂ・５３ｃの回転及びその停止の動作が遊技者側から視認可能となる。また、本実施形態では、図柄表示領域５４ａ・５４ｂ・５４ｃを含めた表示画面の全体を使って、映像の表示が行われ、演出が実行される。
【０１０５】
図柄表示領域５４ａ・５４ｂ・５４ｃ（以下、表示窓５５ａ・５５ｂ・５５ｃ）は、その背後に設けられたリール５３ａ・５３ｂ・５３ｃの回転が停止されたとき、リール５３ａ・５３ｂ・５３ｃの表面に配された複数種類の図柄のうち、その枠内における上段、中段及び下段の各領域にそれぞれ１個の図柄（合計で３個）を表示する。また、各表示窓５５ａ・５５ｂ・５５ｃが有する上段、中段及び下段からなる３つの領域のうち予め定められた何れかをそれぞれ組合せてなる擬似的なラインを、入賞か否かの判定を行う対象となるライン（入賞判定ライン）として定義する。
【０１０６】
本実施の形態では、各表示窓５５ａ・５５ｂ・５５ｃの上段を組合せてなるトップライン、各表示窓５５ａ・５５ｂ・５５ｃの中段を組合せてなるセンターライン、各表示窓５５ａ・５５ｂ・５５ｃの下段を組合せてなるボトムライン、左表示窓５５ａの上段、中表示窓５５ｂの中段及び右表示窓５５ｃの下段を組合せてなるクロスダウンライン、左表示窓５５ａの下段、中表示窓５５ｂの中段及び右表示窓５５ｃの上段を組合せてなるクロスアップラインの５つを入賞判定ラインとして設けている。
【０１０７】
（操作装置）
フロントドア５２には、遊技者による操作の対象となる各種装置が設けられている。ベットボタン５６ａ・５６ｂ・５６ｃは、１回の遊技にベットする枚数を指定するためのものである。１ベットボタン５６ａは１ベットを指定し、２ベットボタン５６ｂは２ベットを指定し、ＭＡＸベットボタン５６ｃは３ベット等の最大ベット数をＭＡＸベットとして指定する。これらのベットボタン５６ａ・５６ｂ・５６ｃは、図１０のベット用ボタンランプ７６ａ〜７６ｃを内蔵している。精算ボタン５７は、メダルを外部に引き出すためのものである。尚、メダルの引き出しは、遊技カード等により行われる。スタートレバー５８は、全てのリール５３ａ・５３ｂ・５３ｃの回転を開始するために設けられる。ストップボタン５９ａ・５９ｂ・５９ｃは、３つのリール５３ａ・５３ｂ・５３ｃのそれぞれに対応付けられ、対応するリール５３ａ・５３ｂ・５３ｃの回転を停止するためのものである。
【０１０８】
（その他装置）
７セグ表示器６０は、７セグメントＬＥＤからなり、今回の遊技においてベットされたメダルの枚数（以下、投入枚数）、特典として遊技者に対して払い出すメダルの枚数（以下、払出枚数）、電子データ化されたメダルの枚数（以下、クレジット枚数）等の情報を遊技者に対してデジタル表示する。尚、クレジット枚数は、例えば、５０枚、１００枚、２００枚、クレジット無しである。表示ランプ６１（ＬＥＤ等）は、演出内容に応じた点消灯のパターンにて光を出力する。スピーカ６２・６２は、フロントドア５２の下部両側に配置されており、演出内容に応じた効果音や楽曲等の音を出力する。スピーカ６２・６２の上方には、光を透過する材質で形成されたパネル板６３が設けられている。パネル板６３には、遊技に登場するキャラクター等の絵柄が形成されている。メダル払出口６９は、パネル板６３の下方に設けられ、後述のメダル払出装置６８の駆動により排出されるメダルを外部に導く。メダル払出口６９から排出されたメダルは、遊技機１の下端部に配置されているメダル受皿７０に貯められる。
【０１０９】
（内部構造）
次に、遊技機１の内部構造を説明する。図９は、本実施形態における遊技機１の内部構造を示す。フロントドア５２が開放され、フロントドア５２の裏面側の構造及びキャビネット５１内の構造が現れた状態が示されている。
【０１１０】
キャビネット５１内の上部には、主制御回路を構成する基板（以下、主基板１１が配置されている。主制御回路は、内部当籤役の決定、リール５３ａ・５３ｂ・５３ｃの回転及び停止、入賞の有無の判定といった、パチスロにおける遊技の主な流れを制御する回路である。主制御回路の具体的な構成は後述する。キャビネット５１内の中央部には、３つのリール５３ａ・５３ｂ・５３ｃが配置されている。各リール５３ａ・５３ｂ・５３ｃのそれぞれには、所定の減速比をもったギアを介してステッピングモータが接続されている。
【０１１１】
３つのリール５３ａ・５３ｂ・５３ｃの左側には、サブ制御回路を構成する基板（以下、サブ側基板１２）が設けられている。主基板１１とサブ側基板１２とは、ＳＰＩ通信によるデータ転送を可能にする通信ケーブル２８１で接続されている。サブ制御回路は、映像の表示等による演出の実行を制御する回路である。サブ制御回路の具体的な構成は後述する。キャビネット５１内の下部には、各装置に対して必要な電力を供給する電源装置６７が設けられている。また、電源装置６７の周辺には、メダルセレクター６４やメダルホッパー６５、メダル払出装置６８が配置されている。
【０１１２】
尚、本実施形態においては、主基板１１とサブ側基板１２とを通信ケーブル２８１によりデータ通信可能に接続しているが、これに限定されるものではなく、無線によりデータ通信可能にされていてもよい。この場合には、通信ケーブル２８１が不要になるため、主基板１１及びサブ側基板１２の配置の自由度を高めることができる。
【０１１３】
また、例えば図１３に示すように、フロントドア５２にサブ側基板１２を配置し、フロントドア５２をキャビネット５１から開放したときに、データ通信を不可能にする一方、フロントドア５２をキャビネット５１に閉鎖したときにデータ通信を可能にするように電波の到達距離を調整した構成とすることによって、フロントドア５２の開閉状態を検知することが可能になる。具体的には、通信用ＬＳＩＴ３３と通信用ＬＳＩＴ３４とにそれぞれアンテナＴ３３１・Ｔ３４１を接続し、フロントドア５２をキャビネット５１に閉鎖したときにアンテナＴ３３１・Ｔ３４１同士が０ｍｍ〜３ｍｍの所定距離で接触又は対向するように設定し、この距離で接触又は対向したときにだけ電波を送受信するようにしてもよい。
【０１１４】
（遊技機１の回路構成）
次に、遊技機１の回路構成について説明する。図１０に示すように、遊技機１は、主制御回路７１、サブ制御回路７２及びこれらと電気的に接続された周辺装置（アクチュエータ等）を備える。
（主制御回路７１）
主制御回路７１は、回路基板上に設置されたマイクロコンピュータ７１１を主たる構成要素としている。マイクロコンピュータ７１１は、ＣＰＵ（以下、メインＣＰＵ７１１１）、ＲＯＭ（以下、メインＲＯＭ７１１２）及びＲＡＭ（以下、メインＲＡＭ７１１３）を有していると共に、ＵＡＲＴ部７１１４を有している。
【０１１５】
メインＲＯＭ７１１２には、メインＣＰＵ７１１１により実行される制御プログラム、内部抽籤テーブル等のデータテーブル、サブ制御回路７２に対して各種制御指令（コマンド）を送信するためのデータ等が記憶されている。メインＲＡＭ７１１３には、制御プログラムの実行により決定された内部当籤役等の各種データを格納する格納領域が設けられる。
【０１１６】
メインＣＰＵ７１１１には、クロックパルス発生回路７１２、分周器７１３、乱数発生器７１４及びサンプリング回路７１５が接続されている。クロックパルス発生回路７１２及び分周器７１３は、クロックパルスを発生する。メインＣＰＵ７１１１は、発生されたクロックパルスに基づいて、制御プログラムを実行する。乱数発生器７１４は、予め定められた範囲の乱数（例えば、０〜６５５３５）を発生する。サンプリング回路７１５は、発生された乱数の中から１つの値を抽出する。
【０１１７】
マイクロコンピュータ７１１のＩ／Ｏポート７１６には、入力スイッチユニット７３のスイッチ等が接続されている。メインＣＰＵ７１１１は、スイッチ等の入力を受けて、ステッピングモータ等の周辺装置の動作を制御する。ストップスイッチ７３１Ｌ・７３１Ｃ・７３１Ｒは、３つのストップボタン５９ａ・５９ｂ・５９ｃのそれぞれが遊技者により押されたこと（停止操作）を検出する。これらのストップスイッチ７３１Ｌ・７３１Ｃ・７３１Ｒは、リール停止信号回路７３５を介してＩ／Ｏポート７１６に接続されている。
【０１１８】
また、スタートスイッチ７３２は、スタートレバー５８が遊技者により操作されたこと（開始操作）を検出する。１ベットスイッチ７３３ａは、１ベットボタン５６ａが遊技者により押圧操作されたことを検出する。２ベットスイッチ７３３ｂは、２ベットボタン５６ｂが遊技者により押圧操作されたことを検出する。ＭＡＸベットスイッチ７３３ｃは、ＭＡＸベットボタン５６ｃが遊技者により押圧操作されたことを検出する。また、精算スイッチ７３４は、精算ボタン５７が遊技者により押圧操作されたことを検出する。
【０１１９】
（周辺装置及び回路）
マイクロコンピュータ７１１により動作が制御される周辺装置としては、ステッピングモータや７セグ表示器等がある。また、マイクロコンピュータ７１１のＩ／Ｏポート７１６の出力ポートには、各周辺装置の動作を制御するための回路が接続されている。
【０１２０】
モータ駆動回路７４１は、各リール５３ａ・５３ｂ・５３ｃに対応して設けられたステッピングモータ７４２ａ・７４２ｂ・７４２ｃの駆動を制御する。リール位置検出回路７４３は、発光部と受光部とを有する光センサにより、リール５３ａ・５３ｂ・５３ｃが一回転したことを示すリールインデックスを各リール５３ａ・５３ｂ・５３ｃに応じて検出する。
【０１２１】
ステッピングモータ７４２ａ・７４２ｂ・７４２ｃは、運動量がパルスの出力数に比例し、指定された角度で回転軸を停止させることが可能な構成を備えている。ステッピングモータ７４２ａ・７４２ｂ・７４２ｃの駆動力は、所定の減速比をもったギアを介してリール５３ａ・５３ｂ・５３ｃに伝達される。ステッピングモータ７４２ａ・７４２ｂ・７４２ｃに対して１回のパルスが出力されるごとに、リール５３ａ・５３ｂ・５３ｃは一定の角度で回転する。
【０１２２】
メインＣＰＵ７１１１は、リールインデックスを検出してからステッピングモータ７４２ａ・７４２ｂ・７４２ｃに対してパルスを出力した回数をカウントすることによって、リール５３ａ・５３ｂ・５３ｃの回転角度（主に、リールが図柄何個分だけ回転したか）を管理し、リール５３ａ・５３ｂ・５３ｃの表面に配された各図柄の位置を管理するようにしている。
【０１２３】
Ｉ／Ｏポート７１６は、ランプ駆動回路７１７に接続されている。ランプ駆動回路７１７は、各種ランプや７セグ表示器の動作を制御する。ランプ駆動回路７１７は、１ベットランプ７５ａ、２ベットランプ７５ｂ、ＭＡＸベットランプ７５ｃ、１ベット用ボタンランプ７６ａ、２ベット用ボタンランプ７６ｂ、ＭＡＸベット用ボタンランプ７６ｃ及び表示ランプ６１を点灯及び消灯させる。１ベット用ボタンランプ７６ａ、２ベット用ボタンランプ７６ｂ及びＭＡＸベット用ボタンランプ７６ｃは、１ベットボタン５６ａ、２ベットボタン５６ｂ及びＭＡＸベットボタン５６ｃにそれぞれ設けられていてもよい。尚、これらのランプ７５ａ〜７５ｃ・７６ａ〜７６ｃ・６１は、フルカラーＬＥＤ等により複数色に変更可能に発光するように構成されていてもよい。
【０１２４】
さらに、上記のように構成された主制御回路７１は、外部集中端子板１４に対してデータ及び信号を送受信可能に接続されている。外部集中端子板１４はホールコンピュータ３に対してデータ及び信号を一方向に送信可能に接続されている。
【０１２５】
また、主制御回路７１は、通信用ＬＳＩＴ３３及び通信用ＬＳＩＴ３４を介してサブ制御回路７２に接続されている。具体的には、図１１に示すように、マイクロコンピュータ７１１のＵＡＲＴ７１１４は、通信用ＬＳＩＴ３３に対してＵＡＲＴ通信により双方向にシリアル送信可能にされている。通信用ＬＳＩＴ３３は、主制御回路７１と共に主基板１１に設けられている。通信用ＬＳＩＴ３３は、ＵＡＲＴ部７１１４から受信した処理データを暗号化する機能を有している。この通信用ＬＳＩＴ３３は、サブ制御回路７２の通信用ＬＳＩＴ３４に接続され、ＳＰＩ通信により通信用ＬＳＩＴ３４に一方向にシリアル通信可能にされている。通信用ＬＳＩＴ３４は、暗号化された処理データを復号化する機能を有している。そして、通信用ＬＳＩＴ３４は、ＵＡＲＴ通信よりマイクロコンピュータ７２１のＵＡＲＴ部７２１４に双方向にシリアル通信可能にされている。即ち、主制御回路７１とサブ制御回路７２とは、図３〜図５の構成１の通信システムによりデータ転送可能にされている。
【０１２６】
（サブ制御回路７２）
サブ制御回路７２は、主制御回路７１と構成１の通信システムにより電気的に接続されており、主制御回路７１から送信されるコマンドに基づいて演出内容の決定等の処理を行う。サブ制御回路７２は、基本的に、ＣＰＵ（以下、サブＣＰＵ７２１１）、ＲＯＭ（以下、サブＲＯＭ７２１２）、ＲＡＭ（以下、サブＲＡＭ７２１３）、ＵＡＲＴ部７２１４、及びＳＰＩ部７２１５とを有したマイクロコンピュータ７２１を有している。
【０１２７】
サブＣＰＵ７２１１は、レンダリングプロセッサ７２２、描画用ＲＡＭ７２３、ドライバ７２４、ＤＳＰ７２５（デジタルシグナルプロセッサ）、オーディオＲＡＭ７２６及びＡ／Ｄ変換器７２７及びアンプ７２８に接続されている。
【０１２８】
サブＣＰＵ７２１１は、主制御回路７１から送信されたコマンドに応じて、サブＲＯＭ７２１２に記憶されている制御プログラムに従い、映像、音、光の出力の制御を行う。サブＲＡＭ７２１３は、決定された演出内容や演出データを登録する格納領域や、主制御回路７１から送信される内部当籤役等の各種データを格納する格納領域が設けられている。サブＲＯＭ７２１２は、基本的に、プログラム記憶領域とデータ記憶領域によって構成される。
【０１２９】
プログラム記憶領域には、サブＣＰＵ７２１１が実行する制御プログラムが記憶されている。例えば、制御プログラムには、主制御回路７１との通信を制御するための主基板通信タスクや、演出用乱数値を抽出し、演出内容（演出データ）の決定及び登録を行うための演出登録タスク、決定した演出内容に基づいて液晶表示装置５４による映像の表示を制御する描画制御タスク、ランプによる光の出力を制御するランプ制御タスク、スピーカによる音の出力を制御する音声制御タスク等が含まれる。さらに、制御プログラムには、第１役物２０１の動作を制御する第１役物制御タスクや第２役物２０２の動作を制御する第２役物制御タスクが含まれる。
【０１３０】
また、サブ制御回路７２は、通信用ＬＳＩＴ４３及び通信用ＬＳＩＴ４４・Ｔ４５を介してデバイス制御回路７７に接続されている。具体的には、マイクロコンピュータ７２１のＳＰＩ部７２１５がサブ制御回路７２と共にサブ基板１２に実装された通信用ＬＳＩＴ４３に接続されている。そして、通信用ＬＳＩＴ４３が、デバイス制御回路７７と共にデバイス基板１３に実装された通信用ＬＳＩＴ４４・Ｔ４５に接続され、これらの通信用ＬＳＩＴ４４・Ｔ４５に役物２０１・２０２のＩ２Ｃ部に接続されている。通信用ＬＳＩＴ４３は、ＳＰＩ部７２１５から受信した処理データを暗号化する機能を有している。この通信用ＬＳＩＴ４３は、デバイス基板１３の通信用ＬＳＩＴ４４・Ｔ４５に接続され、ＳＰＩ通信により通信用ＬＳＩＴ４４・Ｔ４５に双方向にシリアル通信可能にされている。通信用ＬＳＩＴ４４・Ｔ４５は、暗号化された処理データを復号化する機能を有している。そして、通信用ＬＳＩＴ４４・Ｔ４５は、役物２０１・２０２のＩ２Ｃ部にシリアル通信可能にされている。即ち、サブ制御回路７２とデバイス制御回路７７は、図１、図６、図７の構成２の通信システムによりデータ転送可能にされている。
【０１３１】
（デバイス制御回路７７）
デバイス制御回路７７は、サブ制御回路７２と構成２の通信システムにより電気的に接続されており、サブ制御回路７２から送信されるコマンドに基づいて演出内容の実行等の処理を行う。デバイス制御回路７７は、第１役物２０１と第２役物２０２の動作を制御する。第１役物２０１及び第２役物２０２は、遊技機１を操作する遊技者から目視可能な位置に左右対称等の配置形態で設けられている。例えば、遊技機１のキャビネット５１の上部にキャラクター部材が設けられ、そのキャラクター部材が両腕を上下動させながら、両腕の先端部等に設けられたフルカラーＬＥＤに動画を表示させ、さらに、両腕の上下動や動画表示に連携させてランプを点滅させるような動作を行うとすれば、これらの両腕である左腕及び右腕が第１役物２０１及び第２役物２０２に相当することになる。
【０１３２】
第１役物２０１は、第１ランプ駆動装置２０１１と、第１モータ駆動装置２０１２と、フルカラータイプのＬＥＤを駆動する第１ＬＥＤ駆動装置２０１３と、スピーカ駆動装置２０１４とを備えている。また、第２役物２０２は、第２ランプ駆動装置２０２１と、第２モータ駆動装置２０２２と、第２ＬＥＤ駆動装置２０２３と、スピーカ駆動装置２０２４とを備えている。尚、ランプ駆動やＬＥＤ駆動，スピーカ駆動は例示であり、これらに限定されるものではない。これらの第１役物２０１の駆動装置２０１１〜２０１４及び第２役物２０２の駆動装置２０２１〜２０２４は、図６のＩ２ＣデバイスＴ４２となるように、Ｉ２Ｃ通信によるデータ通信により処理データを受信可能にされている。
【０１３３】
尚、本実施形態において、通信用ＬＳＩＴ１は、第１役物２０１のように、一つのまとまりのある機器の１以上の駆動装置に対応して設けられた場合を説明しているが、これに限定されるものではなく、同一機能や同一用途の１以上の駆動装置に対応して設けられていてもよい。例えば、一つの通信用ＬＳＩＴ１に対して、第１ランプ駆動装置・第２ランプ駆動装置・第３ランプ駆動装置が接続され、別の通信用ＬＳＩＴ１に対して、第１モータ駆動装置・第２モータ駆動装置・第３モータ駆動装置が接続され、更に別の通信用ＬＳＩＴ１に対して、第１ＬＥＤ駆動装置・第２ＬＥＤ駆動装置・第３ＬＥＤ駆動装置が接続されてもよい。さらに、通信用ＬＳＩＴ１は、連携動作する演出グループの駆動装置毎に設けられていてもよい。
【０１３４】
また、サブＲＯＭ７２１２のデータ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等が含まれている。
【０１３５】
（メインＲＯＭ７１１２におけるデータテーブル）
次に、メインＲＯＭ７１１２に記憶されているデータテーブルについて説明する。メインＲＯＭ７１１２は、図柄配置テーブルや図柄組合せテーブル、ボーナス作動時テーブル、内部抽籤テーブル、内部当籤役決定テーブル等の各種のデータテーブルを記憶している。
【０１３６】
図柄配置テーブルは、図１２に示すように、各リールの回転方向における各図柄の位置と、各位置に配された図柄の種類を特定するデータ（以下、図柄コード）とを規定している。図柄配置テーブルは、リールインデックスが検出されるときに表示窓内の中段に存在する図柄の位置を「０」として、リールの回転方向に進む順に、各図柄の位置に対して「０」〜「２０」をそれぞれ割り当てている。したがって、リールインデックスが検出されてから図柄何個分の回転が行われたかを管理しつつ、図柄配置テーブルを参照することによって、主として表示窓の中段に存在する図柄の位置及びその図柄の種類を常に管理することが可能となっている。
【０１３７】
また、図柄組合せテーブルは、入賞判定ラインに沿って各リールにより表示される図柄の組合せが、図柄組合せテーブルにより規定されている図柄の組合せと一致する場合に、入賞と判定され、メダルの払い出し、再遊技の作動、ボーナスゲームの作動といった特典が遊技者に対して与えられる。図柄組合せテーブルは、特典の種類に応じて予め定められた図柄の組合せと、表示役と、払出枚数とを規定している。表示役は、入賞判定ラインに沿って表示された図柄の組合せを識別するデータである。
【０１３８】
表示役は、各ビットに対して固有の図柄の組合せが割り当てられた１バイトのデータとして表される。例えば、各リールの図柄「ベル」が入賞判定ラインに沿って表示されたとき、表示役として「ベル（００００００１０）」が決定される。
【０１３９】
また、払出枚数として１以上の数値が決定された場合、メダルの払い出しが行われる。本実施の形態では、表示役としてチェリー、ベル又はスイカが決定されたときメダルの払い出しが行われる。また、払出枚数は、投入枚数に応じて規定されており、基本的に投入枚数が少ないときの方がより多くの払出枚数が決定される。
【０１４０】
また、表示役としてリプレイが決定されたとき、再遊技の作動が行われる。表示役としてＢＢが決定されたとき、ボーナスの作動が行われる。尚、入賞判定ラインに沿って表示された図柄の組合せが、図柄組合せテーブルにより規定されている図柄の組合せの何れとも一致しない場合には、いわゆる「ハズレ」となる。
【０１４１】
ボーナス作動時テーブルは、ボーナスの作動が行われるときに、メインＲＡＭ７１１３に設けられた各種格納領域に格納するデータを規定している。作動中フラグは、作動が行われるボーナスの種類を識別するためのデータである。本実施の形態では、ボーナスの種類としてＢＢ（第１種特別役物に係る役物連続作動装置）及びＲＢ（第１種特別役物）を設けている。ＲＢの作動は、ＢＢの作動が行われている間、連続的に行われる。尚、本実施形態では、ＲＢ中の最大ベット枚数は２枚、その他の遊技は３枚とするが、これに限定されるものではない。
【０１４２】
ＢＢの作動は、規定枚数に達するメダルの払い出しが行われた場合に終了する。ＲＢの作動は、規定回数に達する遊技が行われた場合、規定回数に達する入賞が有った場合、又は、ＢＢの作動が終了した場合の何れかによって終了する。ボーナス終了枚数カウンタ、遊技可能回数カウンタ及び入賞可能回数カウンタは、ボーナスの終了契機となる上記規定枚数或いは上記規定回数に達したか否かを管理するためのデータである。
【０１４３】
より具体的には、ボーナス作動時テーブルにより規定されている数値が上記各カウンタに格納され、ボーナスの作動を通じてその減算が行われていく。その結果、各カウンタの値が「０」に更新されたことを条件に該当ボーナスの作動が終了する。
【０１４４】
内部抽籤テーブルは、当籤番号に応じて、データポインタと抽籤値とを規定している。データポインタは、内部抽籤テーブルを参照して行う抽籤の結果として取得されるデータであり、後述の内部当籤役決定テーブルにより規定されている内部当籤役を指定するためのデータである。データポインタには、小役・リプレイ用データポインタ及びボーナス用データポインタが設けられている。
【０１４５】
本実施の形態では、予め定められた数値の範囲「０〜６５５３５」から抽出される乱数値を、各当籤番号に応じた抽籤値で順次減算し、減算の結果が負となったか否か（いわゆる「桁かり」が生じたか否か）の判定を行うことによって内部的な抽籤が行われる。
【０１４６】
したがって、抽籤値として規定されている数値が大きいほど、これが割り当てられたデータ（つまり、データポインタ）が決定される確率が高い。尚、各当籤番号の当籤確率は、「各当籤番号に対応する抽籤値／抽出される可能性のある全ての乱数値の個数（６５５３６）」によって表すことができる。
【０１４７】
内部当籤役決定テーブルは、データポインタに応じて内部当籤役を規定している。データポインタが決定されると、内部当籤役が一義的に取得される構成となっている。内部当籤役は、入賞判定ラインに沿って表示を許可する各リールの図柄の組合せを識別するデータである。内部当籤役は、表示役と同様に、各ビットに対して固有の図柄の組合せが割り当てられた１バイトのデータとして表される。尚、データポインタが「０」のとき、内部当籤役の内容は「ハズレ」となるが、これは前述の図柄組合せテーブルにより規定されている図柄の組合せの表示が何れも許可されないことを示す。
【０１４８】
（メインＲＡＭ７１１３における格納領域の構成）
次に、メインＲＡＭ７１１３に設けられている各種格納領域の構成について説明する。メインＲＡＭ７１１３は、内部当籤役格納領域や持越役格納領域、作動中フラグ格納領域等を有している。内部当籤役格納領域は、前述の１バイトのデータにより表される内部当籤役を格納する。ビットに「１」が立っているとき、該当する図柄の組合せの表示が許可される。尚、全ビットが「０」であるとき、その内容はハズレとなる。メインＲＡＭ７１１３には、前述の表示役が格納される表示役格納領域が設けられている。表示役格納領域の構成は、内部当籤役格納領域の構成と同様となっている。ビットに「１」が立っているとき、該当する図柄の組合せが入賞判定ラインに沿って表示されたことになる。
【０１４９】
持越役格納領域は、前述の抽籤の結果、ボーナスの作動に係る内部当籤役が決定されたときに格納される。持越役格納領域に格納されたボーナスの作動に係る内部当籤役（以下、持越役）は、対応する図柄の組合せが入賞判定ラインに表示されるまで、その内容がクリアされずに保持される構成となっている。そして、持越役格納領域に持越役が格納されている間は、前述の抽籤の結果にかかわらず、これが内部当籤役格納領域に格納される。
【０１５０】
作動中フラグ格納領域は、１バイトからなる作動中フラグを格納する。作動中フラグは、各ビットに対して固有のボーナスが割り当てられている。ビットに「１」が立っているとき、該当するボーナスの作動が行われている。尚、全ビットが「０」であるときの状態を一般遊技状態と定義する。
【０１５１】
（遊技機：動作）
次に、遊技システムの動作をフローチャートを用いて説明する。
電源が投入されると、遊技機１が各種のプログラムを実行する。遊技機１においては、主制御回路７１においてメインルーチン等のプログラムをメインＣＰＵ７１１１が実行することにより遊技を行うと共に、サブ制御回路７２とデバイス制御回路７７において演出ルーチン等のプログラムを実行することにより液晶表示装置５４の演出画像の表示等を実施可能な状態になる。
【０１５２】
（遊技機１：主制御回路７１：メインルーチン）
具体的には、主制御回路７１においてメインルーチン等が実行されると、図１４に示すようにパチスロに電源が投入されると、はじめに、初期化処理が行われる（Ｓ１）。次に、メインＲＡＭ７１１３における指定格納領域のクリアが行われる（Ｓ２）。例えば、内部当籤役格納領域や表示役格納領域等、１回の遊技ごとに消去が必要となる格納領域に格納されたデータがクリアされる。
【０１５３】
次に、メダル受付・スタートチェック処理が行われる（Ｓ３）。この処理では、メダルセンサやスタートスイッチの入力のチェック等が行われる。
【０１５４】
次に、乱数値が抽出され、メインＲＡＭ７１１３に設けられた乱数値格納領域に格納される（Ｓ４）。次に、内部抽籤処理が行われる（Ｓ５）。この処理では、乱数値に基づいた抽籤により内部当籤役の決定が行われる。次に、スタートコマンドがサブ制御回路７２に対して送信される（Ｓ６）。スタートコマンドは、内部当籤役等を特定するパラメータを含んで構成される。尚、スタートコマンド等の各種のコマンドは、通信用ＬＳＩＴ１の処理データであり、一時的にメインＲＡＭ７１１３のコマンド領域に格納された後、一定の周期（１．１１７３ｍｓｅｃ）で実行される割込処理（図１６）をトリガーとして送信される。
【０１５５】
次に、全メインリールの回転開始が要求される（Ｓ７）。尚、全メインリールの回転開始が要求されると、一定の周期（１．１１７３ｍｓｅｃ）で実行される割込処理によってステッピングモータの駆動が制御され、各リールの回転が開始される。
【０１５６】
次に、リール停止制御処理が行われる（Ｓ８）。この処理では、ストップスイッチ７３１Ｌ・７３１Ｃ・７３１Ｒの入力のチェックが行われ、ストップボタン５９ａ・５９ｂ・５９ｃが押されたタイミングと内部当籤役とに基づいて該当リール５３ａ・５３ｂ・５３ｃの回転が停止される。
【０１５７】
次に、入賞判定ラインに沿って表示された図柄の組合せが検索され、その結果に基づいて払出枚数等が決定される（Ｓ９）。検索の結果、入賞判定ラインに沿って表示された図柄の組合せが図柄組合せテーブルにより規定されている図柄の組合せと一致する場合、対応する表示役及び払出枚数が決定される。次に、表示コマンドがサブ制御回路７２に対して送信される（Ｓ１０）。表示コマンドは、表示役や払出枚数等を特定するパラメータを含んで構成される。
【０１５８】
次に、メダル払出処理が行われる（Ｓ１１）。決定された払出枚数に基づいて、ホッパーの駆動やクレジット枚数の更新が行われる。次に、払出枚数に基づいて、ボーナス終了枚数カウンタが更新される（Ｓ１２）。払出枚数として決定された数値がボーナス終了枚数カウンタから減算される。
【０１５９】
次に、ボーナス作動中フラグがオンであるか否かが判別される（Ｓ１３）。ボーナス作動中フラグがオンであると判別したときには、ボーナス終了チェック処理が行われる（Ｓ１４）。ボーナスの終了契機を管理するための各種カウンタを参照して、ボーナスの作動を終了するか否かがチェックされる。
【０１６０】
Ｓ１４の後、又は、Ｓ１３においてボーナス作動中フラグがオンではないと判別されたときには、ボーナス作動チェック処理が行われる（Ｓ１５）。ボーナスの作動を開始するか否かがチェックされる。この処理が終了すると、Ｓ２に移る。
【０１６１】
（遊技機１：主制御回路７１：割込処理ルーチン）
次に、図１５を参照して、メインＣＰＵの制御による割込処理（１．１１７３ｍｓｅｃ）について説明する。はじめに、メインＣＰＵは、レジスタの退避を行う（Ｓ１６１）。次に、メインＣＰＵは、入力ポートチェック処理を行う（Ｓ１６２）。この処理では、ストップスイッチ等の各種スイッチから入力される信号がチェックされる。また、入力ポートチェック処理でコマンドの存在が確認された場合は、そのコマンドがＵＡＲＴ部７１１４にパラレル出力され、ＵＡＲＴ部７１１４から通信用ＬＳＩＴ３３にシリアル出力される。そして、通信用ＬＳＩＴ３３からサブ制御回路７２の通信用ＬＳＩＴ３４にシリアル送信される。
【０１６２】
次に、メインＣＰＵは、リール制御処理を行う（Ｓ１６３）。この処理では、全リールの回転開始が要求されたときに、各リールの回転を開始し、その後一定速度での回転を行うよう、ステッピングモータの駆動が制御される。また、滑り駒数が決定されたときは、該当リールの回転が滑り駒数分継続するのを待ってその回転の減速及び停止を行うよう、ステッピングモータの駆動が制御される。
【０１６３】
次に、メインＣＰＵは、ランプ・７セグ駆動処理を行う（Ｓ１６４）。次に、メインＣＰＵは、レジスタの復帰を行う（Ｓ１６５）。この処理が終了すると、割込処理を終了する。
【０１６４】
主制御回路のメインＣＰＵ７１１１により実行されるプログラムの内容についての説明は以上である。次に、図１６を参照して、サブ制御回路７２のサブＣＰＵ７２１１により実行されるプログラムの内容について説明する。
【０１６５】
（遊技機１：サブ制御回路７２：主基板通信タスク）
先ず、サブ制御回路７２のサブＣＰＵ７２１１は、主制御回路７１から送信されたコマンドの受信チェックを行う（Ｓ３０１）。次に、サブＣＰＵ７２１１は、コマンドを受信した場合、そのコマンドの種別を抽出する（Ｓ３０２）。次に、前回とは異なるコマンドを受信したか否かが判定される（Ｓ３０３）。前回とは異なるコマンドを受信しなかったと判定した場合には（Ｓ３０３：ＮＯ）、Ｓ３０１に移る一方で、前回とは異なるコマンドを受信したと判別したときには、メッセージキューに格納し（Ｓ３０４）、Ｓ３０１に移る。
【０１６６】
（遊技機１：サブ制御回路７２：演出登録タスク）
次に、図１７を参照して、サブＣＰＵ７２１１により行われる演出登録タスクについて説明する。先ず、サブＣＰＵ７２１１は、メッセージキューからメッセージを取り出す（Ｓ３１１）。次に、メッセージが有るか否かを判定される（Ｓ３１２）。メッセージは有ると判別された場合には（Ｓ３１２：ＹＥＳ）、メッセージから遊技情報を複写する（Ｓ３１３）。例えば、パラメータによって特定される、内部当籤役、回転が停止したリールの種別、表示役、作動中フラグ等といった各種データがサブＲＡＭ７２１３に設けられた格納領域に複写される。
【０１６７】
次に、演出内容決定処理が行われる（Ｓ３１４）。この処理では、受信したコマンドの種別に応じて、演出内容の決定や演出データの登録等が行われる。
【０１６８】
Ｓ３１４の後、又は、Ｓ３１２においてメッセージは無かったと判定した場合には（Ｓ３１２：ＮＯ）、アニメーションデータの登録が行われる（Ｓ３１５）。次に、サウンドデータの登録が行われる（Ｓ３１６）。その後、ランプデータの登録が行われる（Ｓ３１７）。アニメーションデータの登録、サウンドデータの登録及びランプデータの登録は、演出内容決定処理において登録された演出データに基づいて行われる。そして、通信用ＬＳＩＴ４３からデバイス制御回路７７の通信用ＬＳＩＴ４４・Ｔ４５にシリアル送信される。ここでの通信用ＬＳＩＴ４３及び通信用ＬＳＩＴ４４・Ｔ４５の実行処理については後に詳述する。
【０１６９】
（遊技機１：主制御回路７１：ホスト側データ送信処理ルーチン）
主制御回路７１からサブ制御回路７２に対するコマンドの送信は、図１８のホスト側データ送信処理ルーチンが一定の周期（１．１１７３ｍｓｅｃ）で実行される割込処理（図１６）をトリガーとして実行されることにより行われる。即ち、本ルーチンが実行されると、処理データであるコマンドが読み出された後（Ｓ１０１）、ＵＡＲＴ部７１１４と通信用ＬＳＩＴ３３のＵＡＲＴ部Ｔ１１とがハードウエアフロー制御によるハンドシェイク状態で接続されていることから、通信用ＬＳＩＴ３３のＵＡＲＴ部Ｔ１１が受信可能な状態であるか否かが判定される（Ｓ１０２）。
【０１７０】
ＵＡＲＴ部Ｔ１１が受信可能でない場合は（Ｓ１０２：ＮＯ）、Ｓ１０２が再実行されることによって、読み出したコマンドの８ビット分が処理データとして３８４００ｂｐｓで送信される（Ｓ１０４）。この後、ストップビットが送信される（Ｓ１０５）。この後、全データの送信、即ち、コマンドの送信が完了したか否かが判定される（Ｓ１０６）。全データの送信が完了していなければ（Ｓ１０６：ＮＯ）、Ｓ１０２から再実行される一方、全データの送信が完了すれば（Ｓ１０６：ＹＥＳ）、コマンドの送信が完了したとして本ルーチンが終了される。尚、コマンドからなる処理データは、暗号化前の平文である。
【０１７１】
（ＵＡＲＴ部Ｔ１１：ＵＡＲＴ処理ルーチン）
通信用ＬＳＩＴ１（通信用ＬＳＩＴ３３等）におけるＵＡＲＴ部Ｔ１１は、ＵＡＲＴ処理ルーチンを実行している。即ち、図１９に示すように、スレーブ動作であるか否かが判定され（Ｓ１１１）、スレーブ動作でなければ（Ｓ１１１：ＮＯ）、続いて、マスタ動作であるか否かが判定される（Ｓ１１２）。マスタ動作でなければ（Ｓ１１２：ＮＯ）、Ｓ１１１から再実行され、いずれか動作になるまで待機状態とされる。スレーブ動作である場合には（Ｓ１１１：ＹＥＳ）、続いて、データを受信したか否かが判定される（Ｓ１１４）。データを受信しなければ（Ｓ１１４：ＮＯ）、Ｓ１１４が再実行されて待機状態となる。データを受信した場合には（Ｓ１１４：ＹＥＳ）、データを８ビット単位で受信し、ワーク用のＳＲＡＭ部Ｔ２０に記憶する（Ｓ１１５）。尚、８ビット単位の受信は、スタートビット及びストップビットの検出により行われる。そして、全データの受信を完了したか否かが判定され（Ｓ１１６）、全データを受信していなければ（Ｓ１１６：ＮＯ）、Ｓ１１４から再実行される。そして、全データを受信すれば（Ｓ１１６：ＹＥＳ）、本ルーチンが終了される。
【０１７２】
また、マスタ動作である場合には（Ｓ１１２：ＹＥＳ）、ＵＡＲＴマスタ動作処理が実行される（Ｓ１１３）。即ち、図２０に示すように、データ送信条件が成立したか否かが判定される（Ｓ１２１）。例えば、データ送信先となるスレーブ側のデータ受信が可能になり、且つ、データの復号化が完了した場合のように、データ送信条件が成立した場合は（Ｓ１２１：ＹＥＳ）、先ず、スタートビットデータが送信され（Ｓ１２２）、その後、暗号化されたデータがワーク用のＳＲＡＭ部Ｔ２０から８ビット単位で読み出されて３８４００ｂｐｓで送信される（Ｓ１２３）。この後、パリティビットデータが送信され（Ｓ１２４）、ストップビットデータが送信される（Ｓ１２５）。この後、全データの送信が完了したか否かが判定され（Ｓ１２６）、完了していなければ（Ｓ１２６：ＮＯ）、Ｓ１２２から再実行される。一方、全データの送信を完了すれば（Ｓ１２６：ＹＥＳ）、本ルーチンが終了される。
【０１７３】
（ＳＰＩ１部Ｔ１２・ＳＰＩ２部Ｔ１３：ＳＰＩ処理ルーチン）
通信用ＬＳＩＴ１（通信用ＬＳＩＴ３３等）におけるＳＰＩ１部Ｔ１２及びＳＰＩ２部Ｔ１３は、図２１に示すように、ＳＰＩ処理ルーチンを実行している。即ち、スレーブ動作であるか否かが判定され（Ｓ１３１）、スレーブ動作でなければ（Ｓ１３１：ＮＯ）、続いて、マスタ動作であるか否かが判定される（Ｓ１３２）。マスタ動作でなければ（Ｓ１３２：ＮＯ）、Ｓ１３１から再実行され、いずれか動作になるまで待機状態とされる。スレーブ動作である場合には（Ｓ１３１：ＹＥＳ）、続いて、スレーブとして選択されたか否かが判定される（Ｓ１３４）。スレーブとして選択されなければ（Ｓ１３４：ＮＯ）、本ルーチンが終了される。
【０１７４】
一方、スレーブとして選択された場合には（Ｓ１３４：ＹＥＳ）、データを受信したか否かが判定される（Ｓ１３５）。データを受信しなければ（Ｓ１３５：ＮＯ）、Ｓ１３５が再実行されて待機状態となる。データを受信した場合には（Ｓ１３５：ＹＥＳ）、データを８ビット単位で受信し、ワーク用のＳＲＡＭ部Ｔ２０に記憶する（Ｓ１３６）。そして、全データの受信を完了したか否かが判定され（Ｓ１３７）、全データを受信していなければ（Ｓ１３７：ＮＯ）、Ｓ１３５から再実行される。そして、全データを受信すれば（Ｓ１３７：ＹＥＳ）、本ルーチンが終了される。
【０１７５】
また、マスタ動作である場合には（Ｓ１３２：ＹＥＳ）、ＳＰＩマスタ動作処理が実行される（Ｓ１３３）。即ち、図２２に示すように、データ送信条件が成立したか否かが判定される（Ｓ１４１）。データ送信条件が成立した場合は（Ｓ１４１：ＹＥＳ）、先ず、スレーブが選択される（Ｓ１４２）。この後、データが２５６００ｂｐｓで送信される（Ｓ１４３）。この後、全データの送信が完了したか否かが判定され（Ｓ１４４）、完了していなければ（Ｓ１４４：ＮＯ）、Ｓ１４２から再実行される。一方、全データの送信を完了すれば（Ｓ１４４：ＹＥＳ）、本ルーチンが終了される。
【０１７６】
（ＡＥＳ部Ｔ２１：暗号・復号処理ルーチン）
通信用ＬＳＩＴ１（通信用ＬＳＩＴ３３等）におけるＡＥＳ部Ｔ２１は、図２３に示すように、暗号・復号処理ルーチンを実行している。即ち、先ず、ワーク用のＳＲＡＭ部Ｔ２０において、所定量のデータが記憶されたか否かが判定され（Ｓ１５１）、記憶されていなければ（Ｓ１５１：ＮＯ）、Ｓ１５１が再実行されることによって、待機状態にされる。
【０１７７】
一方、所定量のデータが記憶された場合は（Ｓ１５１：ＹＥＳ）、続いて、データが暗号化データであるか否かが判定される（Ｓ１５２）。暗号化データでなければ（Ｓ１５２：ＮＯ）、平文のデータに対して暗号化する暗号処理が実行された後（Ｓ１５３）、本ルーチンが終了される。
【０１７８】
一方、暗号化データであれば（Ｓ１５２：ＹＥＳ）、ＳＲＡＭ部Ｔ２０において、暗号文のデータに対して復号化する復号処理が実行される（Ｓ１５４）。この後、Ｉ２Ｃ送信可能状態であるか否かが判定される（Ｓ１５５）。Ｉ２Ｃ送信可能状態でなければ（Ｓ１５５：ＮＯ）、Ｓ１５５の再実行により待機状態にされ、Ｉ２Ｃ送信可能状態であれば（Ｓ１５５：ＹＥＳ）、復号化されたデータがＳＲＡＭ部Ｔ２０から通信用のバッファであるＳＲＡＭ部Ｔ１８に転送された後（Ｓ１５６）、本ルーチンが終了される。
【０１７９】
（ＤＭＡＣ部Ｔ１７：ＤＭＡＣ処理ルーチン）
通信用ＬＳＩＴ１（通信用ＬＳＩＴ３３等）におけるＤＭＡＣ部Ｔ１７は、図２４に示すように、ＤＭＡＣ処理ルーチンを実行している。即ち、先ず、データ送信条件が成立したか否かが判定される（Ｓ１６１）。条件が成立しなければ（Ｓ１６１：ＮＯ）、Ｓ１６１が再実行されて待機状態にされる。一方、条件が成立した場合には（Ｓ１６１：ＹＥＳ）、転送先のスレーブが決定された後（Ｓ１６２）、Ｉ２Ｃ部Ｔ１６に転送先（スレーブ）が出力される（Ｓ１６３）。この後、Ｉ２Ｃ部Ｔ１６に１６バイト単位でＳＲＡＭ部Ｔ１８のデータが出力され（Ｓ１６４）る。そして、全データの出力が完了したか否かが判定され（Ｓ１６５）、完了していなければ（Ｓ１６５：ＮＯ）、Ｓ１６４から再実行される。そして、全データの出力が完了した場合に（Ｓ１６５：ＹＥＳ）、本ルーチンが終了される。
【０１８０】
（Ｉ２Ｃ部Ｔ１６：Ｉ２Ｃ処理ルーチン）
通信用ＬＳＩＴ１（通信用ＬＳＩＴ３３等）におけるＩ２Ｃ部Ｔ１６は、図２５に示すように、Ｉ２Ｃ処理ルーチンを実行している。即ち、先ず、ＤＭＡＣ部Ｔ１７から転送先データを受信したか否かが判定される（Ｓ１７１）。受信しなければ（Ｓ１７１：ＮＯ）、Ｓ１７１が再実行されて待機状態にされる。一方、転送先データを受信した場合は（Ｓ１７１：ＹＥＳ）、転送先のスレーブが選択された後（Ｓ１７２）、ＤＭＡＣ部Ｔ１７によるデータ送信が最大（ＭＡＸ）１Ｍｂｐｓで行われる（Ｓ１７３）。この後、送信が完了したか否かが判定され（Ｓ１７４）、送信が完了していなれば（Ｓ１７４：ＮＯ）、Ｓ１７２から再実行される。一方、送信が完了していれば（Ｓ１７４：ＹＥＳ）、スレーブの選択が解除された後（Ｓ１７５）、本ルーチンが終了される。
【０１８１】
（通信用ＬＳＩＴ４３：サブ基板側通信用ＬＳＩ送信処理ルーチン）
次に、サブ基板１２のサブ制御回路７２から処理データを受信してからＩ２ＣデバイスＴ４２側の通信用ＬＳＩＴ４４・Ｔ４５へ処理データを送信するまでの通信用ＬＳＩＴ４３としての挙動について、図２６を参照して説明する。
【０１８２】
先ず、通信用ＬＳＩＴ４３によって、サブ制御回路７２からＳＰＩ通信で処理データが受信されたか否かが判定される（Ｓ２００）。処理データが受信されていないと判定された場合（Ｓ２００：ＮＯ）、繰り返しステップＳ２００が実行される。即ち、通信用ＬＳＩＴ４３は、処理データの受信待機状態となる。
【０１８３】
一方、処理データが受信されたと判定された場合（Ｓ２００：ＹＥＳ）、処理データが記憶部に記憶される（Ｓ２０１）。尚、記憶部は、ＳＲＡＭＴ１８やＳＲＡＭ２０のいずれを用いてもよく、通信規格等に応じてあらかじめ定められている。そして、記憶部に記憶された処理データに含まれた出力先であるＩ２ＣデバイスＴ４２の情報に基づいて、出力先のＩ２ＣデバイスＴ４２が接続されたＩ２ＣデバイスＴ４２側の通信用ＬＳＩが決定される（Ｓ２０２）。
【０１８４】
そして、記憶部に記憶された処理データに対して暗号化が行なわれる（Ｓ２０３）。尚、暗号化は、夫々の処理データに対して行われるものであってもよい。暗号化された処理データが記憶部に記憶される（Ｓ２０４）。その後、暗号化された処理データが、出力先のＩ２ＣデバイスＴ４２が接続されたＩ２ＣデバイスＴ４２側の通信用ＬＳＩＴ４４・Ｔ４５へＳＰＩ通信で送信され（Ｓ２０５）、本ルーチンが終了される。
【０１８５】
（通信用ＬＳＩＴ４４・Ｔ４５：Ｉ２Ｃデバイス側通信用ＬＳＩ受信処理ルーチン）
次に、サブ側基板１２の通信用ＬＳＩＴ４３から処理データを受信してからＩ２ＣデバイスＴ４２へ処理データを送信するまでの通信用ＬＳＩＴ４４・Ｔ４５としての挙動について、図２７を参照して説明する。
【０１８６】
先ず、サブ基板１２側の通信用ＬＳＩＴ４３からＳＰＩ通信で暗号化処理データを受信したか否かが判定される（Ｓ２１０）。処理データが受信されていないと判定された場合（Ｓ２１０：ＮＯ）、繰り返しステップＳ２１０が実行される。即ち、通信用ＬＳＩＴ４４・Ｔ４５は、処理データの受信待機状態となる。
【０１８７】
一方、処理データが受信されたと判定された場合（Ｓ２１０：ＹＥＳ）、暗号化された処理データが記憶部に記憶される（Ｓ２１１）。尚、記憶部は、ＳＲＡＭＴ１８やＳＲＡＭ２０のいずれを用いてもよく、通信規格等に応じてあらかじめ定められている。
【０１８８】
次に、暗号化された処理データの復号化が行なわれる（Ｓ２１２）。そして、復号化された処理データは、記憶部に記憶される（Ｓ２１３）。その後、記憶部に記憶された処理データに含まれた出力先であるＩ２ＣデバイスＴ４２の情報に基づいて、出力先のＩ２ＣデバイスＴ４２が決定される（Ｓ２１４）。その後、記憶部に記憶された処理データに含まれたＩ２ＣデバイスＴ４２に処理データを送信するタイミングの情報に基づいて、処理データをＩ２ＣデバイスＴ４２へ出力するタイミングか否かが判定される（Ｓ２１５）。処理データをＩ２ＣデバイスＴ４２へ出力するタイミングと判定された場合（Ｓ２１５：ＹＥＳ）、処理データが出力先であるＩ２ＣデバイスＴ４２へＩ２Ｃ通信で送信され（Ｓ２１６）、本ルーチンが終了される。尚、制御回路７７に処理データを送信するタイミングの情報は、例えば主制御回路７１での内部当籤役の決定からの時間や、ストップボタン等の操作デバイスが操作されてからの時間等であるが、その他のＩ２ＣデバイスＴ４２に処理データを送信するタイミングの情報であってもよい。
【０１８９】
以上、本発明の実施形態を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本実施の形態に記載されたものに限定されるものではない。
【０１９０】
上述した詳細な説明は、コンピュータで実行される処理を含むものである。以上での説明及び表現は、当業者が最も効率的に理解することを目的として記載している。本明細書では、１の結果を導き出すために用いられる各ステップは、自己矛盾がない処理として理解されるべきである。また、各ステップでは、電気的又は磁気的な信号の送受信、記録等が行われる。各ステップにおける処理では、このような信号を、ビット、値、シンボル、文字、用語、数字等で表現しているが、これらは単に説明上便利であるために用いたものであることに留意する必要がある。また、各ステップにおける処理は、人間の行動と共通する表現で記載される場合があるが、本明細書で説明する処理は、原則的に各種の装置により実行されるものである。また、各ステップを行うために要求されるその他の構成は、以上の説明から自明になるものである。
【符号の説明】
【０１９１】
１  遊技機
３  ホールコンピュータ
１１  主基板
１２  サブ基板
１３  デバイス基板
１４  外部集中端子板
Ｔ１  通信用ＬＳＩ
Ｔ２  受信部
Ｔ３  暗号部
Ｔ４  送信部
Ｔ１１  ＵＡＲＴ部
Ｔ１２  ＳＰＩ１部
Ｔ１３  ＳＰＩ２部
Ｔ１４  リロードタイマ部
Ｔ１５  クロック・リセット制御部
Ｔ１６  Ｉ２Ｃ部
Ｔ１７  ＤＭＡＣ部
Ｔ１８  ＳＲＡＭ部
Ｔ１９  バス
Ｔ２０  ＳＲＡＭ部
Ｔ２１  ＡＥＳ部
Ｔ２２  不揮発性メモリ部
【図１】
0005643800.tif 000002
【図２】
0005643800.tif 000003
【図３】
0005643800.tif 000004
【図４】
0005643800.tif 000005
【図５】
0005643800.tif 000006
【図６】
0005643800.tif 000007
【図７】
0005643800.tif 000008
【図８】
0005643800.tif 000009
【図９】
0005643800.tif 000010
【図１０】
0005643800.tif 000011
【図１１】
0005643800.tif 000012
【図１２】
0005643800.tif 000013
【図１３】
0005643800.tif 000014
【図１４】
0005643800.tif 000015
【図１５】
0005643800.tif 000016
【図１６】
0005643800.tif 000017
【図１７】
0005643800.tif 000018
【図１８】
0005643800.tif 000019
【図１９】
0005643800.tif 000020
【図２０】
0005643800.tif 000021
【図２１】
0005643800.tif 000022
【図２２】
0005643800.tif 000023
【図２３】
0005643800.tif 000024
【図２４】
0005643800.tif 000025
【図２５】
0005643800.tif 000026
【図２６】
0005643800.tif 000027
【図２７】
0005643800.tif 000028